(57)【要約】【解決手段】本開示は、冷蔵施設の冷却と水の脱塩のためのシステムを提供する。あるいくつかの態様で、システムは冷水を受け入れ温水を排出するように構成された水冷サブシステムを備える冷蔵施設と、該冷蔵施設と併設され、温水を受け入れて脱塩するように構成された脱塩プラントとを含む。発明の態様はまた、水冷サブシステムを使用して冷蔵施設を冷却し、冷蔵施設と併設された脱塩プラントで水を脱塩する方法も含む。
2016518243.tif 000002
【特許請求の範囲】
【請求項１】
（ａ）冷水を受け入れ温水を排出するように構成された水冷サブシステムを備える冷蔵施設、及び
（ｂ）前記冷蔵施設と併設され、前記排出された温水を受け入れて脱塩するように構成された水脱塩プラント
を備えるシステム。
【請求項２】
前記冷水は大洋又は海から受け入れられることを特徴とする請求項１に記載のシステム。
【請求項３】
前記水冷サブシステムは取水口を有することを特徴とする請求項１又は２に記載のシステム。
【請求項４】
前記取水口は水源の１５ｍ以上の深度に配置されていることを特徴とする請求項３に記載のシステム。
【請求項５】
前記取水口は水源内の有光層より下に配置されていることを特徴とする請求項３に記載のシステム。
【請求項６】
前記水脱塩プラントから濃塩水を排出するための排水口を更に備える請求項１から５のいずれかに記載のシステム。
【請求項７】
前記排水口は水域の１５ｍ以上の深度に配置されていることを特徴とする請求項６に記載のシステム。
【請求項８】
前記水域は、前記水冷サブシステムが前記冷水を受け入れるのと同一の水域であることを特徴とする請求項１から７のいずれかに記載のシステム。
【請求項９】
前記冷蔵施設及び前記水脱塩プラントと併設された発電所を更に備えることを特徴とする請求項１から８のいずれかに記載のシステム。
【請求項１０】
前記発電所は前記冷蔵施設及び前記水脱塩プラントの両方に動作可能に接続されていることを特徴とする請求項９に記載のシステム。
【請求項１１】
前記冷蔵施設及び水脱塩プラントは、独立して稼働している同一の冷蔵施設及び水脱塩プラントと比較して、発生させる炭素排出がより少なくなるように構成されていることを特徴とする請求項１から１０のいずれかに記載のシステム。
【請求項１２】
前記冷蔵施設及び水脱塩プラントは、独立して稼働している同一の冷蔵施設及び水脱塩プラントと比較して、冷蔵施設の冷却量あたり及び脱塩される水の体積あたりの使用エネルギーがより少なくなるように構成されていることを特徴とする請求項１から１１のいずれかに記載のシステム。
【請求項１３】
前記水脱塩プラントは逆浸透脱塩プラントであることを特徴とする請求項１から１２のいずれかに記載のシステム。
【請求項１４】
冷蔵施設を冷却する方法であって、
（ａ）冷水取水口及び温水排水口を有する水冷サブシステムで冷蔵施設を冷却すること、及び
（ｂ）前記冷蔵施設と併設された脱塩プラントで、前記温水排水口から受け入れられた温水を脱塩すること
を備えることを特徴とする方法。
【請求項１５】
請求項１から１３のいずれかに記載のシステムを使用して実施されることを特徴とする請求項１４に記載の方法。
【発明の詳細な説明】
【背景技術】
【０００１】
冷蔵を行う施設の使用は米国および世界中で広まっている。冷蔵システムは種々の商業施設又は家庭に設置されて温度制御に広く使用されている。冷蔵システムは概して大量のエネルギーを使用する。例えば、冷蔵庫は米国における家庭内の他のどの家電よりも多くのエネルギーを使用する。冷蔵コスト単独で平均的な米国の家庭のエネルギー支出の１／６を占めると推定されている。また、スーパーマーケットは商業建築物の中で最もエネルギー集約的な種類の一つである。スーパーマーケットの冷蔵システムは、一年間で１００万から１５０万ｋＷｈ程度を使用することがあり、スーパーマーケットの年間総エネルギーコストの過半を占め得る。商用冷蔵エネルギー消費全体の推計によれば、商用冷蔵設備は商業建築のエネルギー消費全体の約４％を占めることが示されている。
【０００２】
冷蔵システムにより使用される大量のエネルギーのため、種々の商業施設又は家庭に設置される冷蔵システムの大量の使用は深刻な環境問題を含んでいる。例えば、米国内の一つのスーパーマーケットで冷蔵庫を稼働させるための電力は、年間で１３８３トン（メトリックトン）の二酸化炭素排出に繋がると推定されている。同様に、一年間で米国内の冷蔵庫を稼働させるための電力は、９億２千５百万トンを超える二酸化炭素排出に繋がると推定されている。冷蔵技術に関する環境上の問題として、冷蔵技術による地球温暖化及びオゾン層破壊への寄与などがある。
【０００３】
近年、エネルギー効率の高い冷蔵技術を開発するためにより多くの努力がなされている。商業施設又は家庭に設置されるよりエネルギー効率の高い冷蔵システムを開発して実用化することにより、冷蔵システムに関する温室効果ガスの総排出量の将来的な削減への一助となり得る。
【先行技術文献】
【特許文献】
【０００４】
【特許文献１】米国特許出願公開第２００７／０１３１５３４号明細書
【発明の概要】
【発明が解決しようとする課題】
【０００５】
本開示は、冷蔵設備の冷却及び水の脱塩のためのシステムを提供する。あるいくつかの態様で、システムは、冷水を受け入れ温水を排出するように構成された水冷サブシステムを有する冷蔵施設と、当該冷蔵施設と併設されてあり温水を受け入れて脱塩するように構成された脱塩プラントとを備える。発明の態様はまた、水冷サブシステムを使用して冷蔵施設を冷却し、且つ当該冷蔵施設と併設された脱塩プラントで水を脱塩する方法も含む。
【０００６】
種々の例で、本開示のシステムは、冷水を受け入れ温水を排出するように構成された水冷サブシステムを有する冷蔵施設と、当該冷蔵施設と併設されてあり当該排出された温水を受け入れて脱塩するように構成された水脱塩プラントとを備える。開示されたシステムの選ばれた態様で、冷蔵施設は種子貯蔵施設である。いくつかの実施形態では、冷水は大洋又は海から受け入れられる。また、システムの特定の実施形態では、脱塩プラントは逆浸透脱塩プラントである。
【０００７】
水冷サブシステムを備えるシステムのあるいくつかの実施形態は取水口を有する。いくつかの態様で、取水口は、水源の１５ｍ以上、例えば２０ｍ以上、２５ｍ以上、３０ｍ以上、３５ｍ以上等の深度に配置されていてもよい。特定のいくつかの変形例では、取水口は水源内の有光層より下に配置されている。
【０００８】
選ばれた態様で、システムは、水脱塩プラントから濃塩水を排出するように構成された排水口を有する。いくつかの態様で、排水口は水域（例えば、大洋又は海）中の１５ｍ以上、例えば２０ｍ以上、２５ｍ以上、３０ｍ以上、３５ｍ以上等の深度に配置されている。いくつかの実施形態では、排水口が配置されている水域は、システムの取水口が配置されている水域と同じ大洋又は海である。
【０００９】
選ばれた態様で、開示されたシステムは、冷蔵施設及び水脱塩プラントと併設された発電所を備える。いくつかの例で、発電所は冷蔵施設と水脱塩プラントとの両方に動作可能に接続されている。開示されたシステムのあるいくつかの態様で、冷蔵施設、水脱塩プラント、及び発電所は、独立して稼働している同一の冷蔵施設、水脱塩プラント、及び発電所と比較して、発生させる炭素排出がより少なくなるように構成されている。システムのあるいくつかの態様で、冷蔵施設、水脱塩プラント、及び発電所は、独立して稼働している同一の冷蔵施設、水脱塩プラント、及び発電所と比較して、冷蔵施設の冷却量あたり及び脱塩される水の体積あたりの使用エネルギーがより少なくなるように構成されている。
【００１０】
また、本開示により、冷蔵施設を冷却し、塩水を脱塩する方法も提供される。あるいくつかの例で、本方法は、（１）冷水取水口及び温水排水口を有し、冷蔵施設から発生した熱又は冷蔵施設内の熱を吸収するように構成された水冷サブシステムで冷蔵施設を冷却すること、及び（２）前記冷蔵施設と併設された脱塩プラントで、前記温水排水口から受け入れた温水を脱塩すること、を含む。本方法のあるいくつかの態様で、脱塩プラントは逆浸透脱塩プラントである。
【００１１】
本方法のいくつかの態様で、冷蔵施設の水冷サブシステムは、冷水取水口から海水を得るように構成されている。あるいくつかの態様で、冷水取水口は水源の有光層より下（例えば、大洋又は海の有光層より下）に配置されていてもよい。
【００１２】
本方法のあるいくつかの態様は、脱塩プラントから大洋又は海の中へ濃塩水を排出することを含む。いくつかの例で、濃塩水は大洋又は海の有光層より下で排出される。
【００１３】
種々の実施形態で、冷蔵施設を使用して冷蔵施設を冷却し、塩水を脱塩する方法は、独立して稼働している同一の冷蔵施設及び水脱塩プラントと比較して、発生させる炭素排出がより少ない。また、いくつかの態様で、冷蔵施設及び水脱塩プラントを使用して冷蔵施設を冷却し且つ塩水を脱塩する方法は、独立して稼働している同一の冷蔵施設及び水脱塩プラントと比較して、冷蔵施設の冷却量あたり及び脱塩される水の体積あたりの使用エネルギーがより少ない。
【００１４】
選ばれた例で、開示された方法はまた、冷蔵施設及び脱塩プラントを稼働させるための電力を冷蔵施設及び脱塩プラントと併設された発電所から取得することを含む。いくつかの態様で、冷蔵施設、水脱塩プラント、及び発電所を使用して冷蔵施設を冷却し、塩水を脱塩する方法は、独立して稼働している同一の冷蔵施設、水脱塩プラント、及び発電所より発生させる炭素排出が少ない場合がある。いくつかの変形例で、冷蔵施設、水脱塩プラント、及び発電所を使用して、冷蔵施設を冷却し、塩水を脱塩する方法は、独立して稼働している同一の冷蔵施設、水脱塩プラント、及び発電所より、冷蔵施設の冷却量あたり又は脱塩される水の体積あたりの使用エネルギーが少ない。
【００１５】
選ばれた例で、開示された方法はまた、データセンタを冷蔵施設及び／又は脱塩プラント及び／又は発電所と併設することを含む。あるいくつかの実施形態で、方法はデータセンタのＰＵＥを２未満に維持することを含む。特定の態様で、方法はデータセンタのＰＵＥを１から１．３の間に維持することを含む。
【００１６】
発明のこれら及び他の目的、利点、及び特徴は、より完全に記述される装置及び方法の詳細を読むことによって、当業者に対して明らかになる。
【００１７】
本発明は、添付の図と併せて読むと後述の詳細な記載から最も良く理解されうる。以下の図が図面に含まれる。
【図面の簡単な説明】
【００１８】
【図１】本開示の実施形態による、冷蔵施設及び該冷蔵施設と併設された水脱塩プラントを含むシステムの図である。
【図２】本開示の実施形態による、冷蔵施設、該冷蔵施設と併設された水脱塩プラント、並びに該冷蔵施設及び水脱塩プラントと併設された発電所を含むシステムの図である。
【発明を実施するための形態】
【００１９】
（定義）
本明細書で使用される「冷蔵」という用語は、熱をある場所から別の場所へと移動させるために仕事がなされる過程（例えば、化学的な過程）を指す。そのため、冷蔵にはある場所（例えば、断熱された部屋）の温度を下げること（すなわち、冷却すること）、及び／又は別の場所の温度を上げること（すなわち、加熱すること）が含まれる。冷蔵にはまた、物品を冷却又は冷凍のためのシステム内に保持することによりその物品をある温度（例えば、室温）未満に維持することも含まれてもよい。
【００２０】
本明細書で使用され、以降で詳述される「冷蔵施設」という用語は、冷蔵のために構成又は使用される施設を指す。そのため、冷蔵施設は、第１の場所（例えば、冷蔵施設内の一つ以上の断熱された部屋又は部屋の一部）の温度を低下させ且つ／若しくは維持し、且つ／又は第２の場所の温度を上昇させ且つ／若しくは維持するように構成されていてもよい。
【００２１】
同様に、本明細書で使用しさらに詳しく後述する「脱塩プラント」という用語は、水を脱塩するために構成及び／又は使用される設備を指す。いくつかの実施形態では、脱塩プラントは、水を脱塩するための構成要素を収容する。
【００２２】
本明細書で使用する「脱塩する」及び「脱塩」という用語は、塩水（すなわち、ある濃度の少なくとも一つの溶解塩を含む水）から、ある量の塩及び／又は他の鉱物若しくは成分を除くいくつかの処理のいずれかを指す。開示されたシステムのいくつかの実施形態では、脱塩は、水が生体による消費に適合する（すなわち生体が水を消費し、それによって健康な水和レベルを保持し得る、及び／又は生体が、水がその生体に有害な影響を及ぼすことなく水を消費し得る）ように、塩水からある量の塩及び／又は他の鉱物若しくは成分を除くことである。開示されたシステムのいくつかの実施形態では、脱塩により水が飲用になる。あるいくつかの実施形態では、生体は「哺乳類」又は「哺乳動物」であり、これらの語を、肉食動物類（例えば、イヌ及びネコ）、齧歯類（例えばマウス、モルモット、ラット）及び霊長類（例えばヒト、チンパンジー、サル）を含む哺乳動物クラス内の生物を記載するために広範囲に使用する。いくつかの実施形態では、生体はヒトである。「ヒト」という用語は、両方の性及びあらゆる成長段階（例えば胎児、新生児、幼児、若年、青年、成年）のヒト被検者を含んでもよく、あるいくつかの実施形態では、ヒト被検者は若年、青年、又は成年である。開示されたシステムのいくつかの実施形態では、脱塩は、水が特定の目的（例えば灌漑）に適合するように、塩水から、塩及び／又は他の鉱物若しくは成分を除くことである。
【００２３】
本明細書で使用する「併設する」、「併設された」及び「併設」という用語は、２つ以上のものを近接して（すなわち特定の距離内に）設置することを指す。開示されたシステムのいくつかの態様で、併設されるユニットを、それらが一つ以上の共通の特徴（例えば特定のシステム又は機械のような設備又は構成要素）を共用するように設置してもよい。いくつかの態様で、併設されるユニットを、例えば互いに０．１ｍ、１ｍ、１０ｍ、１００ｍ、１，０００ｍ、１０，０００ｍ、又は１００，０００ｍ以内に設置してもよい。あるいくつかの実施形態では、併設されたユニットは、直近又は隣接する領域又は区画に設置された２つ以上の設備である。あるいくつかの態様では、併設されたユニットは、同一の領域に位置付けられた２つ以上の設備であってもよい。開示されたシステムのいくつかの態様で、併設されたユニットが流体連通するように配置してもよい（すなわち、少なくとも１種類の流体がユニット間で移動及び／又は流動してもよいようにユニットが構成されている。）。開示されたシステムのあるいくつかの変形例で、併設されたユニットは、本明細書に記載された一つ以上の構成要素（例えば、水冷サブシステム）を共用するように位置付けられる。開示されたシステムのあるいくつかの実施形態では、併設されたユニットが電気的に接続される（すなわち少なくとも一つの導電性物質により接続される）、及び／又は少なくとも一つの電気的構成要素を共用するように、併設されたユニットを配置してもよい。あるいくつかの例で、併設されたユニットは、それらが異なる位置で（例えば互いにもっと離れた距離で）位置付けられる場合のユニットの状態より、エネルギー効率を良くできる（すなわち同一量の生産性に対して使用エネルギーが少ない）ように配置される。種々の実施形態では、併設されたユニットは、それらが異なる位置に（例えば互いにもっと離れた距離で）配置される場合のユニットの状態より、それらの炭素排出（例えば、二酸化炭素排出）を少なくできる、又はカーボンフットプリント（二酸化炭素排出量）を少なくできるように位置付けられる。いくつかの選ばれた態様で、併設されたユニットは、それらから放出される潜在的汚染物質（例えば熱汚染）を最小化し得るように設置される。開示されたシステムのあるいくつかの態様では、併設されたユニットを、それらが動作可能に接続されるように配置してもよい。
【００２４】
本明細書で使用する「動作可能に接続される」という用語は、開示されたシステム及びその種々の構成要素が本明細書に記載された方法で効果的に作動するのを可能にする特定の方法で（例えば水の移動を可能にする、及び／又は電力の伝送を可能にする方法で）接続されることを意味する。例えば、データセンタに動作可能に接続された発電所は、データセンタを作動するために必要とされるエネルギーが発電所から少なくとも部分的に得られるように、発電所とデータセンタとの間に電気が流れる（すなわち、少なくとも一つの導電性物質に沿って伝送される）ことを可能にし得る。
【００２５】
（詳細な説明）
本開示は、冷蔵施設の冷却及び水の脱塩のためのシステムを提供する。あるいくつかの態様では、システムは、冷水を受け入れて温水を排出するように構成された水冷サブシステムを備える冷蔵施設と、該冷蔵施設と併設され、排出された温水を受け入れて脱塩するように構成された脱塩プラントとを含む。本発明の態様はまた、水冷サブシステムを使用して冷蔵施設を冷却し、該冷蔵施設と併設された脱塩プラントで水を脱塩する方法も含む。
【００２６】
本発明を詳述する前に、本発明は記載される特定の実施形態に限定されず、それ自体を当然変更しうることを理解すべきである。本発明の範囲は添付の特許請求の範囲によってのみ限定されるので、本明細書で使用される語句は特定の実施形態を記載する目的のみであり、限定を意図するものではないこともまた理解すべきである。
【００２７】
値の範囲が示される場合、文脈で別段明示されない限り、その範囲の上限と下限との間の下限の単位の１０分の１までのそれぞれの間にある値もまた具体的に開示されていることが理解される。あらゆる提示された値又は提示された範囲内の間にある値とあらゆる他の提示された値又はその提示された範囲内の間にある値との間のそれぞれのより小さい範囲が、本発明内に含まれる。これらのより小さい範囲の上限及び下限を独立して範囲内に含め又は除いてもよく、提示された範囲内のあらゆる特に除外された上限又は下限によって、上限及び下限の一方がより小さい範囲内に含まれる、どちらも含まれない、又は両方含まれるそれぞれの範囲もまた本発明内に含まれる。提示された範囲が上限及び下限の一つ又は両方を含む場合、それらの含まれる上限及び下限のどちらか又は両方を除く範囲もまた本発明内に含まれる。
【００２８】
別段定義されない限り、本明細書で使用する全ての技術的及び科学的用語は、本発明の当業者が一般的に理解する場合と同一の意味を有する。本明細書に記載されたものと同様又は均等なあらゆる方法及び材質を本発明の実践又はテストで使用可能であるが、いくつかの可能性があり例示的な方法及び材質をこれから記載できる。本明細書で記したあらゆる全ての刊行物は、刊行物が関連して引用された方法及び／又は材質を開示及び記載するため、参照により本明細書に組み込まれる。矛盾がある範囲への組み込まれた刊行物のあらゆる開示に、本開示が優先することが理解される。
【００２９】
本明細書及び添付の特許請求の範囲で使用される単数形「一つ」及び「その」は、文脈が明らかに他を述べていない限り、複数の指示対象を含むことに留意しなければならない。よって、例えば、「一つの取入口」の記述は複数のそのような取入口を含み、「その材質」の記述は一つ以上の材質及び当業者に公知のその均等物などの記述を含む。
【００３０】
尚、本出願の一つのセクション（例えば「システム」セクション）で示される定義は、用語が特定のセクションの実施形態に適用すると記載される場合でも、この出願の他のセクション（例えば「方法」セクション）に記載される実施形態にも適用してもよい。
【００３１】
また、特許請求の範囲は任意でありうるあらゆる構成要素を除いて記される場合がある。そのため、この記述は、特許請求の範囲の構成要素の記述に関連した「単に」、「のみ」などのような除外の語句の使用、又は「否定の」限定の使用について先行記載として機能するように意図する。
【００３２】
本明細書で述べる刊行物は、本出願の出願日前のそれらの開示についてのみ示す。本明細書のどの部分も、本発明が先行の発明との理由でそのような刊行物に先行する権限を与えられないと認めると解釈すべきでない。さらに、示された公開日は実際の公開日と異なるかもしれず、実際の公開日を自主的に確認する必要があることがある。そのような刊行物が本開示の明示的又は暗黙的定義と矛盾する用語の定義を記していることがある範囲には、本開示の定義が優先する。
【００３３】
当業者がこの開示を読んで明らかなように、本明細書に記載及び示されるそれぞれの個別の実施形態は、本発明の範囲又は趣旨から逸脱することなくあらゆる他のいくつかの実施形態の機能から容易に切り離し、又はそれらと組み合わせうる個別の構成要素及び機能を有する。あらゆる列挙の方法を、列挙の事象の順序で、又は論理的に可能なあらゆる他の順序で実行可能である。
【００３４】
（システム）
本開示は、冷蔵施設の冷却及び水の脱塩のためのシステムを提供する。システムは、水（例えばそれぞれ冷水及び温水）を受け入れて排出するように構成された水冷サブシステムを有する冷蔵施設と、該冷蔵施設と併設され、排出水（例えば温水）を受け入れて脱塩するように構成された脱塩プラントとを備える。
【００３５】
図１は、冷蔵施設１０１、該冷蔵施設と併設された水脱塩プラント１０２、水源１０５内の有光層１０４より下に位置する取水口１０３、この態様では水源と同一の水域内の有光層１０４より下に位置する排水口１０６を含む、開示されたシステム１００の一つの実施形態の図を提供する。図１はまた、水及び／又は濃塩水のシステム内での移動可能な方向１０７−１０９、冷蔵施設１０１と水脱塩プラント１０２との間の動作可能な接続部（例えばそれを通して水が移動し得る、及び／又は電力が伝送され得る接続部）１１０、及び連結要素（１１１）並びにさらに後述する他の構成要素及び態様も示す。
【００３６】
あるいくつかの例で、及び図２で示されるように、対象のシステム２００は、冷蔵施設１０１、該冷蔵施設と併設された水脱塩プラント１０２を含む図１で示されたものと同一の構成要素及び態様の多くを備えていてもよく、該冷蔵施設及び水脱塩プラントと併設された発電所２０１、該発電所、冷蔵施設及び／又は脱塩プラントの間の動作可能な接続部２０２、２０３（例えばそれを通って水が移動し得る、及び／又は電力が伝送され得る接続部）、ならびに本明細書に記載された他の構成要素及び態様をまた備えていてもよい。
【００３７】
システムの実施形態の種々の態様を、以下に詳述する。
【００３８】
（冷蔵施設）
開示されたシステムの実施形態は一つ以上の冷蔵施設を備える。上述のように、「冷蔵施設」という用語は、冷蔵のために構成され且つ／又は使用される少なくとも一つの部分を有する設備を指す。そのため、冷蔵設備は、第１の場所（例えば、一つ以上の断熱された部屋）の温度を低下させ且つ／若しくは維持し、且つ／又は第２の場所の温度を上昇させ且つ／若しくは維持するように構成されていてもよい。冷蔵施設はまた、一つ以上の冷蔵（例えば冷却）される物品又は特徴部を中に含んでいてもよい。
【００３９】
冷蔵施設の実施形態には、一つ以上の建物内にある冷蔵施設が含まれる。あるいくつかの態様で、冷蔵施設又はその冷蔵される部分は、一つ以上の区画（例えば、断熱されたコンテナ）、部屋の一つ以上の部分、建物の一つ以上の部屋、建物の一つ以上のフロア、又は建物全体を占める。冷蔵施設のいくつかの実施形態又はその一部は、例えば、空調ユニットによって冷却される。
【００４０】
種々の実施形態で、冷蔵施設は、一つ以上の物品及び／若しくは特徴部、又はいくつかの種類の物品及び／若しくは特徴部（例えば、以下に例示するいずれかの物品又は物品の組み合わせ）を効率的に冷蔵（例えば、冷却）し、それにより貯蔵するように構成されている。冷蔵施設は、バクテリア及び／又はウィルスの繁殖が抑制（例えば、内部の低温のために鈍化又は停止）される、及び／又は植物の成長が抑制（例えば、内部の低温のために鈍化又は停止）される、及び／又は種子の発芽が抑制（例えば、内部の低温のために鈍化又は停止）される、及び／又は他の生物の繁殖若しくは成長が抑制されるように施設の一つ以上の部分に物品を保持することによって、物品を貯蔵するように構成されていてもよい。
【００４１】
冷蔵施設の特定の態様には、種子又は様々な種類の種子を冷蔵（例えば、冷却）するように構成されている施設が含まれる。種子が保持される冷蔵施設の少なくとも一部分の中の低温のため、それらの種子の発芽が抑制（例えば、鈍化又は停止）される。種子を貯蔵するために構成された冷蔵施設は、それぞれの種類がその種類にとって種子の発芽が抑制される温度で保管されるように、様々な種類の種子を異なる温度で保持してもよい。
【００４２】
あるいくつかの実施形態では、冷蔵施設には、内部で（例えば、人及び／又は動物用の）食物を冷蔵（例えば、冷却）するように構成されている施設が含まれる。斯かる施設では、食物の中又は上でバクテリア及び／又はウィルス及び／又は菌類の成長が実質的に鈍化又は防止されるような温度で一つ以上の食物が保持されてもよい。冷蔵施設で冷蔵され得る食物には、例えば、食肉製品、果物製品、穀類製品、野菜製品、乳製品、液体食品、固形食品、及び／又はそれらの組み合わせが含まれる。
【００４３】
特定の実施形態で、冷蔵施設には、有機物質を冷蔵しそれにより保存する（例えば、その上のバクテリアの成長を鈍化させることにより保存する）ために構成された施設が含まれる。冷蔵施設又はその一部分で保存され得る有機物質には、採取された組織試料（例えば、一人以上の人又は一匹以上の動物からの組織試料）が含まれる。冷蔵施設で保存され得る他の種類の有機物質は、人間の遺体（例えば、一人以上の人間の死体）及び／又は動物の死骸（例えば、一つ以上の動物の死体）である。
【００４４】
特定の態様で、冷蔵施設は、一つ以上の物品（例えば、一つ以上の細胞等の有機物質）を極低温又は冷凍状態で保持するように構成されている。いくつかの態様で、冷蔵施設は、冷蔵施設の周囲の温度より低い及び／又は室温（例えば、２１℃）より低い温度で一つ以上の物品を保持するように構成されている。
【００４５】
種々の実施形態で、冷蔵施設には、一つ以上の生物又は一種類以上の生物のための一つ以上の棲息地が含まれる。例えば、冷蔵施設には、内部に生物（例えば、ペンギン又はホッキョクグマ等の動物及び／又は植物）を保持する棲息地の部分（例えば、動物園）が含まれていてもよい。冷蔵施設に保持される生物は、冷涼な環境又はその地域で自然に生じるよりも冷涼な環境で育つ生物であってもよい。
【００４６】
冷蔵施設の特定の実施形態は、実験室又は研究環境で使用される化学物質及び／又は生物を保持するように構成されている。斯かる化学物質及び／又は生物は、斯かる化学物質及び／又は生物のすぐ周辺の領域で生じる（自然に生じる）温度よりも低い温度下の環境を要する（例えば、化学活性を維持する又は生存するために要する）化学物質及び／又は生物であってもよい。研究室又は研究環境で使用される化学物質及び／又は生物を保持するように構成された冷蔵施設の種々の態様には、化学物質及び／又は生物（例えば、室温で自由に繁殖が許されれば潜在的に人間の健康に有害であるバクテリア及び／又はウィルス）を安全上の理由で低温（例えば、２０℃−２５℃より低い温度）で保持する必要がある施設が含まれていてもよい。
【００４７】
冷蔵施設のいくつかの実施形態は、熱（例えば、大量の熱）を放出する物品（例えば、廃棄物品）を保持するように構成されている。冷蔵施設の一つ以上の部分に保持され得る熱を放出する物品には、核廃棄物又は他の種類の発熱性廃棄物（例えば、熱を放出する廃棄物）が含まれる。そのため、冷蔵施設又はその部分の幾つかの態様は、内部に放射性物質を安全に保持する（例えば、冷蔵施設のその部分から放射能が漏れないようにする）ように構成されていてもよい。
【００４８】
あるいくつかの態様で、冷蔵施設は建物（例えば、オフィスビル、倉庫、病院、又は学校）であり、その中の一つ以上の部分（例えば、部屋）に冷却された（例えば、空調が効いた）環境を維持するように構成されている。冷蔵施設が病院である場合、その施設の冷却された部分には、患者からの生物試料（例えば、血液試料）を効率よく貯蔵するための部分が含まれることがある。
【００４９】
冷蔵施設の種々の実施形態は熱を生じる産業施設（例えば、精油所等の工場；原子力発電所及び／又は化石燃料発電所等の発電所）である。斯かる実施形態では、冷蔵施設は、熱を生じるその施設内の一つ以上の場所を冷却するように構成されることが可能である。
【００５０】
冷蔵施設の特定の実施形態は、効率的に稼働する（例えば、特定の製品を加工及び／又は生産するため効率的に稼働する）ためにその施設の一部分が特定の温度に維持される必要がある産業施設である。例えば、一部分が特定の温度に維持される必要がある産業施設には、ビール及び／又はヨーグルトを生産し貯蔵する工場、並びに化粧品を生産し貯蔵する工場が含まれる。一部分が特定の温度に維持される必要がある他の種類の産業施設には、液体酸素を生産及び／又は保持する施設（例えば、航空宇宙用製品を生産する施設）、並びにドライアイス及び／又は効率的に貯蔵されて且つ／若しくは使用されるために低温を必要とする他の物質を生産及び／又は保持する施設が含まれる。
【００５１】
いくつかの例で、冷蔵施設は電力を動力とする。例えば、冷蔵施設のあるいくつかの実施形態は、稼働するために電力を消費する。冷蔵施設の電力取出量は、数ｋＷ（例えば１、２、３、４又は５ｋＷ）から大規模設備の数十ＭＷ（例えば１０、２０、３０、４０、５０、６０、７０、８０又は９０ＭＷ）の範囲であり得る。冷蔵施設の選ばれた態様で、冷蔵施設は高い電力密度（例えば、平均的なオフィスビル電力密度の１０倍又は１００倍を超える）を有する。冷蔵施設のいくつかの実施形態で、電力コストは冷蔵施設の主たる稼働費用である。
【００５２】
冷蔵施設の実施形態は、少なくとも一つの動力源（例えば本明細書に記載されたような一つ以上の発電所）に動作可能に接続されている。冷蔵施設のあるいくつかの態様は、動力源（例えばそこから電力を得ることができる電源）を有する。いくつかの実施形態では、動力源は再生可能エネルギー源から動力を生成又は取得する。再生可能エネルギー源は、例えばエネルギーの一つ以上の形態（例えば太陽光、風力、波力、バイオ燃料、バイオマス、潮力及び／又は地熱エネルギー）を他の形態（例えば、電力）へ変換するように構成された一つ以上のシステム又は装置を有する。例えば、動力源は一つ以上の太陽光パネルであってもよい。
【００５３】
選ばれた実施形態で、冷蔵施設は一つ以上の物品を冷蔵するように構成された一つ以上の構成要素を含む。冷蔵施設の構成要素には、一つ以上のヒートポンプ又は他の冷蔵手段（例えば、一つの場所の温度を下げる手段）が含まれてもよい。あるいくつかの態様で、熱ポンプは一つの場所（例えば、断熱区画）の温度を下げて他の場所の温度を上げるように構成されている。冷蔵施設の構成要素にはまた、一つ以上（例えば、１、２、３、４、５、６、７、８、９、１０、又は５０まで、又は１００、又は１０００以上）の断熱区画が含まれてもよい。断熱区画は、実質的に区画の内外での熱移動を防ぎ、それによって効率的に区画内を特定の温度に維持するように構成されていてもよい。そのため、断熱区画は、区画内を特定の温度に維持するために必要とされるエネルギーを最小化するように構成されていてもよい。断熱区画はまた、その内部で冷蔵及び／又は加熱するために一つ以上の物品を貯蔵するように構成されていてもよい。
【００５４】
開示されたシステムの種々の態様で、冷蔵施設は定量的な冷蔵施設の冷却量を生み出す。冷蔵施設の冷却量には、一つ以上の物品が冷却される摂氏度の度数が含まれてもよい。冷蔵施設の冷却量にはまた、冷蔵施設又はその構成要素により特定の場所（例えば、断熱区画）に対してある量の冷蔵（例えば、冷却）を行うために使用されるエネルギーの測定量（例えば、kWで表示）が含まれてもよい。
【００５５】
あるいくつかの実施形態で、冷蔵施設は、冷蔵施設又はその構成要素により実行される各機能に対してある量のエネルギーを使用する。例えば、冷蔵施設又は冷蔵施設を備えるシステムは、冷蔵施設の冷却量あたり特定の量のエネルギーを使用することがある。いくつかの態様で、冷蔵施設又は冷蔵施設を備えるシステムは、定量化され得るある程度のエネルギー効率を有する。
【００５６】
いくつかの実施形態では、冷蔵施設及び／又は冷蔵施設の動力源は、炭素排出を発生させる。あるいくつかの態様で、冷蔵施設（例えば独立して稼働している冷蔵施設）は、冷蔵施設又はその構成要素により実行される各機能（例えば、冷却量）又は機能の一部についてある量の炭素排出を発生させる。
【００５７】
冷蔵施設（例えば、ヒートポンプ等の冷蔵施設の構成要素）は、あるいくつかの例で、熱を生じる。そのため、冷蔵施設のあるいくつかの態様は、冷蔵施設内の環境の少なくとも一部を制御する環境制御システム（例えば、一つ以上の空調ユニット）を有する。いくつかの態様で、環境制御システムは、本明細書に記載される水冷サブシステムを有する。いくつかの態様で、環境制御システムは、冷蔵施設の少なくとも一部分を加熱及び／又は冷却するように構成された温度制御システムを有する。環境制御システムのいくつかの態様は、冷蔵施設の少なくとも一部分及び／又はその中の物品を１６℃から２４℃の間の温度（例えば、１７℃、１８℃、１９℃、２０℃、２１℃、２２℃又は２３℃）に維持するように構成されている。
【００５８】
種々の例で、及び上述のように、冷蔵施設は一つ以上の水冷サブシステムを有する。本明細書で使用する「水冷サブシステム」及び「複数の水冷サブシステム」という用語は、冷蔵施設及び／若しくはデータセンタ内の少なくとも一つの構成要素（例えば、サーバ）又は冷蔵施設及び／若しくはデータセンタの一部（例えば部屋）を冷却するように構成された、少なくとも部分的に冷蔵施設及び／又はデータセンタ内に配置された相互接続された構造をいう。所望の場合、水冷サブシステムの相互接続された構造は、一つの場所（例えば、取入場所）から他の場所へ水を運ぶように構成された一つ以上の構成要素（例えば管及び／又はコンテナ）を有する。あるいくつかの実施形態では、水冷サブシステムは、温水排水口及び／又は排出口を有する。いくつかの実施形態では、水冷サブシステムは、サブシステム内に水を受け入れる取入口、及び水をサブシステムから排水する温水排水口及び／又は排出口を除いて水密である。選ばれた例で、水冷サブシステムは、大洋及び／又は海及び／又は川及び／又は湖及び／又は地下水源及び／又は他の水源から水（例えば、冷水）を受け入れるように構成されていてもよい。
【００５９】
本明細書で使用する「水」という用語は、Ｈ2Ｏの化学式を持つ化合物を指す。水は塩水（例えば海水）でもよく、そのためその中に溶解した一つ以上の成分（例えば塩）を含んでもよい。塩水（例えば、海水）は、約３．５％（３５ｇ／Ｌ、又は５９９ｍＭ）の塩濃度（例えば３．４％から３．６％、又は３．１％から３．８％の塩濃度）を有してもよい。水はまた、液体及び／又は気体状であってもよい。
【００６０】
本願に記載の水はまた、様々な異なる温度を有してもよい。本明細書で使用する「冷」水は、本明細書に記載する「温」水より低い温度を有する水を意味する。いくつかの態様で、冷水の温度は１℃から３５℃の範囲内である。例えば、いくつかの例で、冷水の温度は以下の範囲のうちの一つである。１℃から１０℃、１１℃から２０℃、２１℃から３０℃、３１℃から３５℃、１２℃から１９℃、１３℃から１８℃、１４℃から１７℃、１５℃から１６℃、１℃から２０℃、２℃から１９℃、３℃から１８℃、４℃から１７℃、５℃から１６℃、６℃から１５℃、７℃から１４℃、７℃から１３℃、８℃から１２℃、又は９℃から１１℃。特定の態様で、冷水と温水との間の温度差は、１℃から９９℃の範囲であってもよい。例えば冷水と温水との間の温度差は、１℃、２℃、３℃、４℃、５℃、６℃、７℃、８℃、９℃、１０℃、１１℃、１２℃、１３℃、１４℃、１５℃、１６℃、１７℃、１８℃、１９℃、２０℃、２１℃、２２℃、２３℃、２４℃、２５℃、２６℃、２７℃、２８℃、２９℃、３０℃、３１℃、３２℃、３３℃、３４℃、３５℃、３６℃、３７℃、３８℃、３９℃、４０℃、４１℃、４２℃、４３℃、４４℃、４５℃、４６℃、４７℃、４８℃、４９℃、５０℃、５１℃、５２℃、５３℃、５４℃、５５℃、５６℃、５７℃、５８℃、５９℃、６０℃、６１℃、６２℃、６３℃、６４℃、６５℃、６６℃、６７℃、６８℃、６９℃、７０℃、７１℃、７２℃、７３℃、７４℃、７５℃、７６℃、７７℃、７８℃、７９℃、８０℃、８１℃、８２℃、８３℃、８４℃、８５℃、８６℃、８７℃、８８℃、８９℃、９０℃、９１℃、９２℃、９３℃、９４℃、９５℃、９６℃、９７℃、９８℃、又は９９℃であってもよい。冷水と温水との間の温度差はまた、例えば、少なくとも１℃、少なくとも２℃、少なくとも３℃、少なくとも４℃、少なくとも５℃、少なくとも１０℃、少なくとも１５℃、少なくとも２０℃、少なくとも２５℃、少なくとも３０℃、少なくとも３５℃、少なくとも４０℃、又は少なくとも５０℃であってもよい。いくつかの態様で、冷水が本明細書に記載されたシステムの構成要素（例えば、取水口）を入る及び／又は出るとき、冷水は上記で挙げた範囲のうちの一つ以内の温度を有していてもよい。いくつかの態様で、冷水は、冷水が取水された水源と同一の温度を有していてもよい。例えば、冷水は、本明細書中に開示されるシステムの一つ以上の構成要素（例えば、取水口及び／又は排水口）周辺の（例えばその場所、又は１ｍ及び／又は１０ｍ及び／又は１００ｍ及び／又は１０００ｍの距離内の）大洋又は海の一部と同一の温度を有していてもよい。開示されたシステムのあるいくつかの態様で、冷水は大洋又は海からシステム内へ受け入れられる。いくつかの例で、冷水の温度は、水が開示されたシステムを通って進むにつれて上昇及び／又は低下する。
【００６１】
本明細書で使用する「温」水は、本明細書に記載する「冷」水より高い温度を有する水を意味する。いくつかの態様で、温水の温度は３６℃から１００℃の範囲内である。例えば、いくつかの例で、温水の温度は以下の範囲のうちの一つである。３６℃から４０℃、４１℃から５０℃、５１℃から６０℃、６１℃から７０℃、７１℃から８０℃、８１℃から９０℃、９１℃から９９℃、４０℃から４５℃、４６℃から５０℃、５１℃から５５℃、５６℃から６０℃、６１℃から６５℃、６６℃から７０℃、３６℃から６０℃、３７℃から５９℃、３８℃から５８℃、３９℃から５７℃、４０℃から５６℃、４１℃から５５℃、４２℃から５４℃、４３℃から５３℃、４４℃から５２℃、４５℃から５１℃、４６℃から５０℃、又は４７℃から４９℃。上述のように、特定の例で、冷水と温水との間の温度差は１℃から９９℃の範囲であってもよい。例えば冷水と温水との間の温度差は、少なくとも１℃、少なくとも２℃、少なくとも３℃、少なくとも４℃、少なくとも５℃、少なくとも１０℃、少なくとも１５℃、少なくとも２０℃、少なくとも２５℃、少なくとも３０℃、少なくとも３５℃、少なくとも４０℃、又は少なくとも５０℃であってもよい。いくつかの態様で、温水が本明細書に記載されたシステムの構成要素（例えば、排水口）を入る及び／又は出るとき、温水は上記で挙げた範囲のうちの一つ以内の温度を有していてもよい。いくつかの態様で、温水は、冷水が取水された水源より高い温度を有していてもよい。例えば、温水は、本明細書中に開示されるシステムの一つ以上の構成要素（例えば、取水口及び／又は排水口）周辺の（例えばその場所、又は１ｍ及び／又は１０ｍ及び／又は１００ｍ及び／又は１０００ｍの距離内の）大洋又は海の一部より高い温度を有していてもよい。いくつかの実施形態では、温水の温度は、水が開示されたシステムを通って進むにつれて上昇及び／又は低下する。
【００６２】
いくつかの態様で、水冷サブシステムは、冷蔵施設内の少なくとも一つの場所（例えば冷蔵施設により熱が生じる場所）に冷水を運ぶように構成されていてもよく、そこで冷水が熱せられ、それによって温水に変換される。冷水は水冷サブシステムの熱交換要素内で熱されて温水に変換されてもよく、それについては詳しく後述する。いくつかの例で、水冷サブシステムはまた、温水を冷蔵施設内の一つの場所（例えば、熱交換要素の場所）から他の場所（例えば一つ以上の冷蔵される物品を有する冷蔵施設の一部の外側の場所）へ運ぶように構成されていてもよい。所望の場合、水冷サブシステムは、生成された熱エネルギーを水冷サブシステム内（例えば、水冷サブシステムの熱交換要素内）の水（例えば冷水）に移送し、その後熱せられた水（例えば温水）をそれが熱せられた冷蔵施設内の場所から移送することを可能にすることにより、熱エネルギーを生成する一つ以上の冷蔵される物品及び／又は構成要素から熱エネルギーを奪って運ぶように構成されている。冷蔵施設内の水を移送し、それによって冷蔵施設内の一つ以上の冷蔵される物品及び／又は構成要素を冷却することにより、水冷サブシステムは、システム及び／又は構成要素が効果的に稼働（例えば、冷蔵するために稼働）しうる環境を提供することによって、システム及び／又は構成要素の稼働を最適化する。
【００６３】
あるいくつかの例で、水冷サブシステムは熱交換要素を有する。特定の実施形態では、熱交換要素は、冷蔵施設内の一つ以上の場所及び／又は構成要素を冷却するように構成されている。例えば、冷蔵施設の第１の場所及び／若しくは第１の場所の構成要素又は物品が冷却されるように、熱交換要素が、第１の場所で冷蔵施設により生じた熱を媒介物（例えば空気及び／又は水）へ交換し、その後熱せられた媒介物を第２の場所へ移送することを可能にするように構成されていてもよい。いくつかの態様で、媒介物（例えば、冷水）が（例えば水冷サブシステムの第１の部分から）熱交換要素内へ向けられてもよく、及び／又は媒介物（例えば、温水）が熱交換要素外へ（例えば水冷サブシステムの第２の部分へ）向けられてもよいように、熱交換要素が構成されている。
【００６４】
選ばれた態様で、熱交換要素は空調システム（例えば、一つ以上の空調ユニット）である。いくつかの例で、熱交換要素は、熱を生じる冷蔵施設の構成要素（例えば、電気的構成要素）の周辺（例えば冷蔵施設の構成要素と同じ冷蔵施設の部屋の中）の空気を冷却するように構成されている。いくつかの例で、熱交換要素は、熱を生じる冷蔵施設の構成要素（例えば、電気的構成要素）の周辺（例えば冷蔵施設の構成要素と同じ冷蔵施設の部屋の中）の空気（例えば、冷蔵施設の構成要素により熱せられた空気）から熱を冷水へ移すことを可能にするように構成されている。そのような交換により、空気の冷却及び水の（例えば温水への）加熱がもたらされる。従って、いくつかの態様で、冷水は熱交換要素内で温水へ熱せられる。あるいくつかの例で、熱交換要素は、冷蔵施設の構成要素により熱せられた空気をその構成要素が設置された冷蔵施設の領域（例えば、部屋）から除去するように構成されている。
【００６５】
あるいくつかの実施形態では、熱交換要素は、冷蔵施設の構成要素（例えば、熱を生じる電気的及び／又は冷蔵用構成要素）と物理的に一体化した一つ以上の導管（例えば広い内表面及び／又は外表面の面積を持つ導管）である。所望の場合、熱交換要素は、水がそれらを通して流れ、それによって冷蔵施設の構成要素から熱を移しうるように構成されている。いくつかの態様で、熱交換要素は、一つ以上の場所（例えば、１、２、３、４又は５か所の場所）で水冷サブシステムの残りの部分に動作可能に接続されている。選ばれた態様で、熱交換要素は、水冷サブシステムの残りの部分と同一の材質、又は異なる材質からなる。
【００６６】
上述のように、あるいくつかの実施形態では、水冷サブシステムは温水排水口及び／又は温水排出口を有する。種々の例で、温水排水口は、脱塩プラント及び／又は発電所に動作可能に接続されている（例えば水密に取り付けられる）。いくつかの態様で、温水排水口は本明細書に記載された連結要素と同一の構造の一部である。所望の場合、温水排水口は温水を水冷サブシステム外へ、及び／又は水源又は水域内へ排出する。選ばれた実施形態では、温水排水口は、温水が通って移動（例えば、流動）し得る一つ以上の開口部を有する。あるいくつかの実施形態では、温水排水口は管であり、本明細書に記載された取水口と同一及び／又は異なる材質、及び／又は材質の種類で製造されていてもよい。あるいくつかの態様で、温水排水口は、一つの冷蔵される物品及び／又は関連する構成要素を有する冷蔵施設の一部の内側又は外側に配置されている。水冷サブシステムは、あるいくつかの実施形態では、取水口を有する。いくつかの態様で、取水口は、水冷サブシステム内へ水（例えば、冷水）を受け入れるように構成された水冷却システム内に、一つ以上の開口部（例えば、孔、間隙及び／又はスリット）を有する。例えば、取水口は、水が一つ以上の管内へ流れ得るように、水域内に位置する一つ以上の（すなわち、１、２、３、４、５、６、７、８、９、又は１０以上の）開口部（例えば開口端部）を有する一つ以上の管であってもよい。いくつかの実施形態では、取水口又はその中の開口部は、円形、長方形、正方形、スリット、多角形、四角形、楕円形、半円形又は他の形状の形態である。選ばれた例で、取水口又はその開口部は単一の定義された対称半径を有していてもよい。いくつかの態様で、取水口又はその開口部は単一の平面（例えば、水平面又は垂直面）内に存在する曲率半径を有していてもよい。
【００６７】
あるいくつかの実施形態では、取水口（例えば、取水口内の一つ以上の開口部）は、ある時間（例えば、１分又は１時間又は１日）にそれらを通して移動するある量の水（例えば、海水）を取り入れ又は他の態様で有するように構成されている。例えば、取水口は、５，０００Ｌ／日、１０，０００Ｌ／日、１５，０００Ｌ／日、２０，０００Ｌ／日、２５，０００Ｌ／日、３０，０００Ｌ／日、３５，０００Ｌ／日、４０，０００Ｌ／日、４５，０００Ｌ／日、５０，０００Ｌ／日、５５，０００Ｌ／日、６０，０００Ｌ／日、６５，０００Ｌ／日、７０，０００Ｌ／日、７５，０００Ｌ／日、８０，０００Ｌ／日、８５，０００Ｌ／日、９０，０００Ｌ／日、９５，０００Ｌ／日、１００，０００Ｌ／日、１５０，０００Ｌ／日、２００，０００Ｌ／日、２５０，０００Ｌ／日、３００，０００Ｌ／日、３５０，０００Ｌ／日、４００，０００Ｌ／日、４５０，０００Ｌ／日、５００，０００Ｌ／日、５５０，０００Ｌ／日、６００，０００Ｌ／日、６５０，０００Ｌ／日、７００，０００Ｌ／日、７５０，０００Ｌ／日、８００，０００Ｌ／日、８５０，０００Ｌ／日、９００，０００Ｌ／日、９５０，０００Ｌ／日、百万Ｌ／日、５百万Ｌ／日、１千万Ｌ／日、２千万Ｌ／日、３千万Ｌ／日、４千万Ｌ／日、５千万Ｌ／日、６千万Ｌ／日、７千万Ｌ／日、８千万Ｌ／日、９千万Ｌ／日、１億Ｌ／日、１億１千万Ｌ／日、１億２千万Ｌ／日、１億３千万Ｌ／日、１億４千万Ｌ／日、１億５千万Ｌ／日、１億６千万Ｌ／日、１億７千万Ｌ／日、１億８千万Ｌ／日、１億９千万Ｌ／日、２億Ｌ／日、２億２千万Ｌ／日、２億４千万Ｌ／日、２億６千万Ｌ／日、２億８千万Ｌ／日、３億Ｌ／日、４億Ｌ／日、５億Ｌ／日、又は１０億Ｌ／日まで取水するように構成されていてもよい。取水口はまた、１０億Ｌ／日より多く取水するように構成されていてもよい。特定の実施形態では、取水口は、５，０００Ｌ／日から１０億Ｌ／日、５，０００Ｌ／日から百万Ｌ／日、５，０００Ｌ／日から１億Ｌ／日、５，０００Ｌ／日から２０，０００Ｌ／日、２０，０００Ｌ／日から４０，０００Ｌ／日、４０，０００Ｌ／日から６０，０００Ｌ／日、６０，０００Ｌ／日から８０，０００Ｌ／日、８０，０００Ｌ／日から１００，０００Ｌ／日、１００，０００Ｌ／日から１２０，０００Ｌ／日、１２０，０００Ｌ／日から１４０，０００Ｌ／日、１４０，０００Ｌ／日から１６０，０００Ｌ／日、１６０，０００Ｌ／日から１８０，０００Ｌ／日、１８０，０００Ｌ／日から２００，０００Ｌ／日、２００，０００Ｌ／日から２５０，０００Ｌ／日、２５０，０００Ｌ／日から３００，０００Ｌ／日、３００，０００Ｌ／日から３５０，０００Ｌ／日、１００，０００Ｌ／日から２００，０００Ｌ／日、２００，０００Ｌ／日から３００，０００Ｌ／日、３００，０００Ｌ／日から４００，０００Ｌ／日、４００，０００Ｌ／日から５００，０００Ｌ／日、５００，０００Ｌ／日から６００，０００Ｌ／日、６００，０００Ｌ／日から７００，０００Ｌ／日、７００，０００Ｌ／日から８００，０００Ｌ／日、８００，０００Ｌ／日から９００，０００Ｌ／日、９００，０００Ｌ／日から百万Ｌ／日、百万Ｌ／日から２千万Ｌ／日、２千万Ｌ／日から４千万Ｌ／日、４千万Ｌ／日から６千万Ｌ／日、６千万Ｌ／日から８千万Ｌ／日、又は８千万Ｌ／日から１億Ｌ／日のいずれかの範囲の水量を取り入れるように構成されていてもよい。いくつかの態様で、取水口は、取水口を通る（例えば流れている）水の量が、ある時間間隔（例えば，１分、１時間、１日、１か月、１年）内で可変であってもよいように構成されている。
【００６８】
特定の態様で、取水口又はその一部は、一つ以上の冷蔵される物品及び／又は他の関連する構成要素を有する冷蔵施設の一部の外部に配置されている。例えば、いくつかの変形例で、取水口は一つ以上の冷蔵される物品及び／又は関連する構成要素を収容する建物の外部に配置されている。所望の場合、取水口は冷水が熱せられる（例えば温水まで熱せられる）一つ以上の冷蔵される物品及び／又は関連する構成要素を有する冷蔵施設の一部の内側に位置する水冷サブシステムの少なくとも一つの部分と流体連通している。
【００６９】
水冷サブシステムの実施形態は、水源内の１５ｍ以上、２０ｍ以上、２５ｍ以上、３０ｍ以上、３５ｍ以上の深度に配置された取水口を有する。水冷サブシステムのいくつかの変形例は、水源内の１ｍ以上、２ｍ以上、３ｍ以上、４ｍ以上、５ｍ以上、６ｍ以上、７ｍ以上、８ｍ以上、９ｍ以上、１０ｍ以上、１１ｍ以上、１２ｍ以上、１３ｍ以上、１４ｍ以上、１６ｍ以上、１７ｍ以上、１８ｍ以上、１９ｍ以上、２０ｍ以上、２５ｍ以上、３０ｍ以上、３５ｍ以上、４０ｍ以上、４５ｍ以上、５０ｍ以上、６０ｍ以上、７０ｍ以上、８０ｍ以上、９０ｍ以上、１００ｍ以上、２００ｍ以上、及び／又は３００ｍ以上の深度に配置された取水口及び／又はその中の少なくとも一つの開口部（例えば、冷蔵される物品及び／又は関連する構成要素を収容する冷蔵施設の一部から最も遠い取水口の端部の開口部）を有する。いくつかの態様で、水冷サブシステムは、水源内の特定の区域（例えば真光層及び／若しくは薄光層、並びに／又は、無光層及び／若しくは深層域）より下及び／又は内に配置された取水口及び／又はその中の少なくとも一つの開口部を有する。選ばれた態様で、水冷サブシステムは、水源内の有光層のより下に配置された取水口及び／又はその中の少なくとも一つの開口部を有する。
【００７０】
取水口が水源内の特定の深度（例えば、１５ｍ以上の深度）に配置されているあるいくつかの態様で、取水口の中心（例えば、取水口の最中心点）及び／又は取水口の上縁（例えば、水面に最も近い縁又は部分）及び／又は取水口の下縁（例えば、水面から最も遠い縁又は部分）は、水面下の特定の深度に配置されている。あるいくつかの例で、水源内の特定の深度に配置されている取水口は、開口部の中心（例えば、円形又は正方形の開口部の最中心点）及び／又は開口部の上縁（例えば、水面に最も近い縁又は部分）及び／又は開口部の下縁（例えば、水面から最も遠い縁又は部分）が水面下の特定の深度に配置されている開口部を有する。
【００７１】
水冷サブシステムの実施形態、及びいくつかの態様で、取水口は、水を浄化するように構成された一つ以上のフィルタを有する。選ばれた例で、少なくとも一つのフィルタは、取水口内の一つ以上の開口部に、並びに／又は冷蔵される物品及び／若しくは関連する機器を収容する冷蔵施設の一部から最も遠い取水口の端部に配置されている。所望の場合、フィルタは冷蔵される物品及び／又は関連する機器を収容する冷蔵施設の一部の中に配置されている。
【００７２】
種々の実施形態では、水冷サブシステム及び／又はその取水口は、一つ以上の材質又は一種類以上の材質で構成されていてもよい。開示されたシステムの水冷サブシステムが構成されていてもよい材質の例には、ポリマー、セラミック、金属、ガラス及び／又はそれらの組み合わせが含まれる。いくつかの例で、水冷サブシステムは、腐食（例えば錆による腐食）しやすい金属又は材質では構成されていない。いくつかの実施形態では、水冷サブシステムは、配管材質で構成されている。例えば、水冷サブシステムは、ポリ塩化ビニル（ＰＶＣ）管及び／又は継ぎ手、及び管を水密に締結する一つ以上の接着剤で構成されていてもよい。適切な場合、水冷サブシステムの一つ以上の材質は、硬質であってもよい。いくつかの態様で、水冷サブシステムの一つ以上の材質は、弾性的（例えば、一つ以上のゴムチューブ又はホース）であってもよい。しかしながら、これらの材質の例は限定するものではなく、水冷サブシステムの材質は、本明細書に記載された開示されたシステム内の機能に必要な構造的及び化学的特性を有するあらゆる材質又は材質の組み合わせであってもよい。
【００７３】
種々の例で、水冷サブシステムはポンプを有する。いくつかの実施形態では、ポンプは、水を本明細書に記載されたような水冷サブシステム及び／又は他の構成要素（例えば、取水口；排水口及び／又は脱塩プラント）を通して移動させる手段である。選ばれた変形例で、ポンプは、本明細書に記載されたような水冷サブシステム及び／又は他の構成要素（例えば、取水口；排水口及び／又は脱塩プラント）を通して水を一方向又は双方向に移動させる。いくつかの例で、ポンプは電気を動力とし、及び／又は化石燃料を動力とし、及び／又は他の手段を動力とする。あるいくつかの態様で、ポンプは、本明細書に記載されたような動力源（すなわち冷蔵施設の動力源）に動作可能に接続されている。いくつかの態様で、ポンプは発電所に動作可能に接続されていてもよい。特定の態様で、潮流、及び／又は潮流を動力とするポンプは、本明細書に記載された水冷サブシステム及び／又は他の構成要素（すなわち、脱塩プラント）を通して水を移動させる。いくつかの実施形態では、一つ以上のポンプは、本明細書に記載されたような冷蔵施設及び／又は脱塩プラント内に配置されている。選ばれた実施形態では、一つ以上のポンプは、本明細書に記載されるような冷蔵施設及び／又は脱塩プラントの外部に配置されている。
【００７４】
特定の態様で、水冷サブシステムは、システムを通る水の移動を制御するサブシステム内の一つ以上のバルブを有する。いくつかの実施形態では、バルブは制御可能である（例えば指定された信号又は動作に反応して開閉するように構成されている）。所望の場合、各バルブは個別に制御可能である（例えば、あるバルブは開閉でき、他のバルブはできない）。選ばれた実施形態では、一つ以上のバルブは電気的構成要素を有し、それに動作可能に接続された制御部から電子信号を受信するように構成されていてもよい。
【００７５】
（水脱塩プラント）
本明細書で使用される「脱塩プラント」という用語は、水を脱塩するために構成及び／又は使用される施設を指す。いくつかの実施形態では、脱塩プラントは、水を脱塩するための構成要素を収容する。
【００７６】
いくつかの変形例で、脱塩プラントは蒸留（例えば、真空蒸留）により稼働する。脱塩プラントは、水（例えば、塩水）を沸騰させて塩濃度が著しく減少又は除去された水（例えば水蒸気）を収集するように構成されていてもよい。いくつかの態様で、脱塩プラントは水を大気圧未満で沸騰させる。いくつかの態様で、脱塩プラントは、多段フラッシュ蒸留により稼働する。そのため、脱塩プラントは、多段の同時熱交換器である量の水を蒸気にフラッシュすることにより水（例えば海水）を蒸留する一つ以上の工程によって稼働するように構成されていてもよい。特定の例で、蒸留（例えば、真空蒸留）を用いる脱塩プラントは、一つ以上の工程で熱せられた水（例えば、温水）を採用する。脱塩プラントのあるいくつかの変形例は、蒸留及び逆浸透処理の両方を用いることにより水を脱塩するように構成されている。
【００７７】
あるいくつかの実施形態では、開示されたシステムの脱塩プラントは、逆浸透脱塩プラントである。いくつかの態様で、逆浸透脱塩プラントは、水を脱塩するために圧力及び／又は一つ以上の半透膜を使用する。逆浸透脱塩プラントのあるいくつかの態様で、水は、その中から塩及び／又は鉱物及び／又は他の不純物を取り除くために、一つ以上の半透膜を通過させられる。いくつかの例で、脱塩処理に入れられる水（例えば塩水）の温度がより高ければ、逆浸透脱塩プラントの脱塩処理の効率はより高い。種々の実施形態では、脱塩処理に入れられる水（例えば塩水）の温度がより高ければ、逆浸透脱塩プラントの脱塩処理は脱塩された水の体積あたりより少ないエネルギーを使用する。
【００７８】
いくつかの態様で、水を脱塩することにより、脱塩プラントは脱塩された水及び／又は濃塩水（例えば、脱塩された水及び濃塩水の両方）を生じてもよい。本明細書で使用される「濃塩水」という用語は、脱塩プラントから排水された溶液をいう。選ばれた態様で、濃塩水は、塩（例えば、塩化ナトリウム）及び水を含む溶液（例えば濃縮液）であってもよい。選ばれた態様で、濃塩水は３．５％から２６％又は５％から２６％の範囲の塩濃度を有する。あるいくつかの実施形態では、濃塩水は、脱塩中に水から取り除かれた一つ以上の不純物（例えば、鉱物又は他の成分）を含む。いくつかの例で、濃塩水は、脱塩プラントの処理（例えば洗浄）に使用される化学物質の残留物を含んでもよい。
【００７９】
脱塩プラントの実施形態は、水を浄化するように構成された少なくとも一つのフィルタを有する。いくつかの態様で、取水口の少なくとも一つのフィルタは、一つ以上の半透膜を有する。
【００８０】
一部の例で、脱塩プラントは、ある量の水がプラントを通って移動できるように構成されている。選ばれた実施形態では、脱塩プラントは、動作可能に接続された管及び／又はコンテナの相互接続された脱塩構造を通って移動することにより、ある量の水がプラントを通って移動できるように構成されている。選ばれた変形例で、動作可能に接続された管及び／又はコンテナの相互接続された脱塩構造は、本明細書に記載される水冷サブシステム及び／又は取水口と同一及び／又は異なる材質又は材質の種類で構成されている。特定の実施形態では、脱塩プラントの動作可能に接続された管及び／又はコンテナの相互接続された脱塩構造は、水源から水を受け入れる連結要素、及び／又は脱塩プラントから水を排水する排水口に接続されているか、及び／又はそれらを有している。
【００８１】
特定の態様で、脱塩プラントは、脱塩プラントを通る（例えば、脱塩プラント内の動作可能に接続された管及び／又はコンテナの相互接続された脱塩構造を通る）水の移動を制御する一つ以上のバルブを有する。いくつかの実施形態では、バルブは制御可能である（例えば指定された信号又は動作に反応して開閉するように構成されている）。いくつかの態様で、それぞれのバルブは個別に制御可能である（例えば、あるバルブは開閉でき、他のバルブはできない）。選ばれた例で、一つ以上のバルブは電気的構成要素を有し、それに動作可能に接続された制御部から電子信号を受信するように構成されていてもよい。
【００８２】
種々の態様で、脱塩プラントは、水が水源（例えば、水冷サブシステム）からプラント内へ移動する（すなわち流れる）ことが可能なように構成されている。いくつかの実施形態では、水脱塩プラントの水源は、冷蔵施設及び／又はデータセンタ（例えば、併設された冷蔵施設及び／又はデータセンタ）の水冷サブシステムである。そのため、所望の場合、水脱塩プラントは、水冷サブシステム又はそれらの一部（例えば、温水排水口又は排出口）及び／又は他の源（例えば発電所）から温水を受け入れるように構成されていてもよい。いくつかの実施形態では、水脱塩プラントは、脱塩プラント内に受け入れられた温水が、その中の一つ以上の水脱塩工程で使用されるように構成されている。
【００８３】
あるいくつかの態様で、脱塩プラントは、一つ以上の連結要素を有する。連結要素は、水冷サブシステムに接続され、そこから水を受け入れるように構成されていてもよい。いくつかの態様で、一つ以上の連結要素は、脱塩プラント内、並びに／又は冷蔵施設及び／若しくはデータセンタ内、並びに／又は脱塩プラントと冷蔵施設及び／若しくはデータセンタとの間（例えば、脱塩プラントと冷蔵施設及び／又はデータセンタとの接点）に配置されている。選ばれた例で、一つ以上の連結要素は、脱塩プラントと冷蔵施設及び／又はデータセンタとの間を流体連通する管又は一続きの管である。いくつかの実施形態では、一つ以上の連結要素は、冷蔵施設及び／又はデータセンタの温水排水口又は排出口へ動作可能に接続されている（例えば水密に取り付けられている）。一つ以上の連結要素は、本明細書に記載されるような取水口（例えば冷水取水口）へ動作可能に接続されていてもよい。そのため、水が脱塩プラントに入る前に、冷蔵施設及び／又はデータセンタの水冷サブシステムを出ていく温水に、水（例えば、冷水）が加えられてもよい。一つ以上の連結要素は、本明細書に記載されるような排水口（例えば、温水排水口）に動作可能に接続されていてもよい。そのため、連結要素を通って流れるように向けられた水の全て又は一部は、水源内へ流れるように向けられてもよく、連結要素を通って流れるように向けられた水の全て又は一部は、水脱塩プラント内へ流れるように向けられてもよい。一つ以上の連結要素はまた、一つ以上の他の連結要素に動作可能に接続されていてもよい。
【００８４】
あるいくつかの実施形態では、連結要素は、ある時間（例えば、１分又は１時間又は１日）あたりにある量の水（例えば、海水）を連結要素を通して移動（例えば、流れる）させるように構成されている。例えば、連結要素は、以下の量までの水をそれらを通して移動（例えば、流動）させるように構成されていてもよい：５，０００Ｌ／日、１０，０００Ｌ／日、１５，０００Ｌ／日、２０，０００Ｌ／日、２５，０００Ｌ／日、３０，０００Ｌ／日、３５，０００Ｌ／日、４０，０００Ｌ／日、４５，０００Ｌ／日、５０，０００Ｌ／日、５５，０００Ｌ／日、６０，０００Ｌ／日、６５，０００Ｌ／日、７０，０００Ｌ／日、７５，０００Ｌ／日、８０，０００Ｌ／日、８５，０００Ｌ／日、９０，０００Ｌ／日、９５，０００Ｌ／日、１００，０００Ｌ／日、１５０，０００Ｌ／日、２００，０００Ｌ／日、２５０，０００Ｌ／日、３００，０００Ｌ／日、３５０，０００Ｌ／日、４００，０００Ｌ／日、４５０，０００Ｌ／日、５００，０００Ｌ／日、５５０，０００Ｌ／日、６００，０００Ｌ／日、６５０，０００Ｌ／日、７００，０００Ｌ／日、７５０，０００Ｌ／日、８００，０００Ｌ／日、８５０，０００Ｌ／日、９００，０００Ｌ／日、９５０，０００Ｌ／日、百万Ｌ／日、５百万Ｌ／日、１千万Ｌ／日、２千万Ｌ／日、３千万Ｌ／日、４千万Ｌ／日、５千万Ｌ／日、６千万Ｌ／日、７千万Ｌ／日、８千万Ｌ／日、９千万Ｌ／日、１億Ｌ／日、１億１千万Ｌ／日、１億２千万Ｌ／日、１億３千万Ｌ／日、１億４千万Ｌ／日、１億５千万Ｌ／日、１億６千万Ｌ／日、１億７千万Ｌ／日、１億８千万Ｌ／日、１億９千万Ｌ／日、２億Ｌ／日、２億２千万Ｌ／日、２億４千万Ｌ／日、２億６千万Ｌ／日、２億８千万Ｌ／日、３億Ｌ／日、４億Ｌ／日、５億Ｌ／日、又は１０億Ｌ／日。連結要素はまた、それらを通って１０億Ｌ／日を超える水を移動（例えば、流動）させるように構成されていてもよい。特定の実施形態では、連結要素は、５，０００Ｌ／日から１０億Ｌ／日、５，０００Ｌ／日から百万Ｌ／日、５，０００Ｌ／日から１億Ｌ／日、５，０００Ｌ／日から２０，０００Ｌ／日、２０，０００Ｌ／日から４０，０００Ｌ／日、４０，０００Ｌ／日から６０，０００Ｌ／日、６０，０００Ｌ／日から８０，０００Ｌ／日、８０，０００Ｌ／日から１００，０００Ｌ／日、１００，０００Ｌ／日から１２０，０００Ｌ／日、１２０，０００Ｌ／日から１４０，０００Ｌ／日、１４０，０００Ｌ／日から１６０，０００Ｌ／日、１６０，０００Ｌ／日から１８０，０００Ｌ／日、１８０，０００Ｌ／日から２００，０００Ｌ／日、２００，０００Ｌ／日から２５０，０００Ｌ／日、２５０，０００Ｌ／日から３００，０００Ｌ／日、３００，０００Ｌ／日から３５０，０００Ｌ／日、１００，０００Ｌ／日から２００，０００Ｌ／日、２００，０００Ｌ／日から３００，０００Ｌ／日、３００，０００Ｌ／日から４００，０００Ｌ／日、４００，０００Ｌ／日から５００，０００Ｌ／日、５００，０００Ｌ／日から６００，０００Ｌ／日、６００，０００Ｌ／日から７００，０００Ｌ／日、７００，０００Ｌ／日から８００，０００Ｌ／日、８００，０００Ｌ／日から９００，０００Ｌ／日、９００，０００Ｌ／日から百万Ｌ／日、百万Ｌ／日から２千万Ｌ／日、２千万Ｌ／日から４千万Ｌ／日、４千万Ｌ／日から６千万Ｌ／日、６千万Ｌ／日から８千万Ｌ／日、又は８千万Ｌ／日から１億Ｌ／日の範囲のいずれかにある量の水をそれらを通って移動させるように構成されることが可能である。いくつかの態様で、連結要素を通る水の移動（例えば、流動）量は、期間（例えば１分、１時間、１日、１か月、１年）内で可変である。
【００８５】
いくつかの実施形態では、脱塩プラントは、濃塩水が排水口を通って脱塩プラントを出る（すなわち、流れる）ように構成されている。あるいくつかの例で、脱塩プラントは、本明細書に記載されるような排水口に（例えば、流体連通で）動作可能に接続されている。
【００８６】
種々の態様で、脱塩プラントは、脱塩された水（例えば低い塩濃度を有する水）が水を排除する特徴部を通って脱塩プラントを出るように構成されている。水を排除する特徴部は、一つ以上の管であってもよい。水を排除する特徴部はまた、脱塩された水を使用及び／又は貯水し得る場所に脱塩された水を輸送するように構成されていてもよい。あるいくつかの態様で、水を排除する特徴部はまた、そこから脱塩された水がさらに輸送可能である場所へ脱塩された水を輸送するように構成されていてもよい。いくつかの例で、水を排除する特徴部の遠位端に拡散器が配置されていてもよい。
【００８７】
あるいくつかの態様で、脱塩プラントはポンプを有する。いくつかの実施形態では、ポンプは、水を本明細書に記載されるような脱塩プラント及び／又は他の構成要素（例えば、冷蔵施設、データセンタ、水冷サブシステム、取水口、及び／又は排水口）を通して移動させる手段である。特定の例で、ポンプは、本明細書に記載されるような脱塩プラント及び／又は他の構成要素を通して水を一方向又は双方向に移動させる。いくつかの実施形態では、ポンプは電気を動力とするか、及び／又はガソリンを動力とするか、及び／又は他の手段を動力とする。あるいくつかの態様で、ポンプは、本明細書に記載されるような動力源（すなわち冷蔵施設の動力源）に動作可能に接続されている。いくつかの例で、ポンプは発電所に動作可能に接続されていてもよい。特定の実施形態では、潮流、及び／又は潮流を動力とするポンプは、水を本明細書に記載される脱塩プラント及び／又は他の構成要素（すなわち、冷蔵施設）を通して移動させる。いくつかの実施形態では、一つ以上のポンプは、本明細書に記載されるような冷蔵施設及び／又は脱塩プラント内に配置されている。選ばれた態様で、一つ以上のポンプは、本明細書に記載されるような冷蔵施設及び／又は脱塩プラントの外部に配置されている。
【００８８】
所望の場合、脱塩プラントは、電気的構成要素を有する。例えば脱塩プラントは、温度及び／又は照明制御システム、並びに水を脱塩するための電気システムを有してもよい。あるいくつかの態様で、脱塩プラント（例えば、独立して稼働している脱塩プラント）は、脱塩された水の夫々の体積に対してある量のエネルギー（例えば、電気エネルギー）を使用する。
【００８９】
そのため、脱塩プラントは、少なくとも一つの動力源（例えば、本明細書に記載されたような一つ以上の発電所並びに／又は冷蔵施設及び／若しくはデータセンタの動力源）に動作可能に接続されていてもよい。脱塩プラントのあるいくつかの実施形態は、動力源（例えばそこから電力を得てもよい電源）を有する。適切な場合、及び上述のように、動力源は、再生可能エネルギー源から電力を生成するか又は得る。あるいくつかの態様で、脱塩プラントは、データセンタ又はその一つ以上の構成要素に動作可能に接続（例えば、電気的に接続）されていてもよい。
【００９０】
選ばれた態様で、脱塩プラント及び／又は脱塩プラントの動力源は、炭素排出を発生させる。あるいくつかの態様で、脱塩プラント（例えば、独立して稼働している脱塩プラント）は、脱塩プラント又はその構成要素により実行されるそれぞれの機能又は機能の一部について炭素排出量を発生させる。例えば、いくつかの実施形態では、脱塩プラントは産出された脱塩された水の体積あたり一定量の炭素排出を発生させる。
【００９１】
あるいくつかの例で、開示されたシステムは、一つ以上の冷蔵施設及び／又はデータセンタと併設された一つ以上の脱塩プラントを備える。上述のように、開示されたシステムのいくつかの実施形態は、冷蔵施設及び／又はデータセンタ（例えば、併設された冷蔵施設及び／又はデータセンタ）から排出された温水を受け入れ且つ脱塩するように構成された脱塩プラントを含む。冷蔵施設及び／又はデータセンタから排出された温水を受け入れ且つ脱塩するように構成された脱塩プラントを含む開示されたシステムのあるいくつかの変形例は、それによって、独立して稼働する同一の冷蔵施設及び／又はデータセンタ並びに水脱塩プラント（例えば、水又は電気が一方から他方へ移動できるように接続されていない冷蔵施設及び／又はデータセンタ並びに水脱塩プラント）と比較してより少ない炭素排出を発生させるように構成されている。また一部の例で、開示されたシステムは、冷蔵施設及び／又はデータセンタから排出された温水を受け入れ且つ脱塩するように構成された脱塩プラントを含む開示されたシステムは、それによって、独立して稼働する同一の冷蔵施設及び／又はデータセンタ並びに水脱塩プラント（例えば、水又は電気が一方から他方へ移動できるように接続されていない冷蔵施設及び／又はデータセンタ並びに水脱塩プラント）と比較してより少ないエネルギー（例えば、電気エネルギー）を使用するように構成されている。
【００９２】
（排水口）
いくつかの実施形態では、開示されたシステムは排水口を有する。種々の態様で、排水口は開示されたシステムから濃塩水を排出するように構成されている。適切な場合、排水口は、水及び／又は濃塩水を輸送するように構成されたシステムの部分の中に、一つ以上の開口部（例えば、孔、間隙及び／又はスリット）を有する。例えば排水口は、水及び／又は濃塩水が一つ以上の管から流れ得るように水域内に位置する少なくとも一つの開口部（例えば開いた端部）を有する一つ以上の管であってもよい。いくつかの変形例で、排水口又はその中の開口部は、円形、長方形、正方形、スリット、多角形、四角形、楕円形、半円形又は他の形状である。一部の例で、所望の場合、排水口又はその開口部は単一の定義された対称半径を有していてもよい。いくつかの態様で、排水口又はその開口部は単一の平面（例えば、水平面又は垂直面）内に存在する曲率半径を有していてもよい。
【００９３】
あるいくつかの実施形態では、排水口（例えば、排水口内の一つ以上の開口部）は、ある時間（例えば、１分又は１時間又は１日）である量の水（例えば、海水）を排出するか、又はその中を移動させるように構成されている。例えば排水口は、５，０００Ｌ／日、１０，０００Ｌ／日、１５，０００Ｌ／日、２０，０００Ｌ／日、２５，０００Ｌ／日、３０，０００Ｌ／日、３５，０００Ｌ／日、４０，０００Ｌ／日、４５，０００Ｌ／日、５０，０００Ｌ／日、５５，０００Ｌ／日、６０，０００Ｌ／日、６５，０００Ｌ／日、７０，０００Ｌ／日、７５，０００Ｌ／日、８０，０００Ｌ／日、８５，０００Ｌ／日、９０，０００Ｌ／日、９５，０００Ｌ／日、１００，０００Ｌ／日、１５０，０００Ｌ／日、２００，０００Ｌ／日、２５０，０００Ｌ／日、３００，０００Ｌ／日、３５０，０００Ｌ／日、４００，０００Ｌ／日、４５０，０００Ｌ／日、５００，０００Ｌ／日、５５０，０００Ｌ／日、６００，０００Ｌ／日、６５０，０００Ｌ／日、７００，０００Ｌ／日、７５０，０００Ｌ／日、８００，０００Ｌ／日、８５０，０００Ｌ／日、９００，０００Ｌ／日、９５０，０００Ｌ／日、百万Ｌ／日、５百万Ｌ／日、１千万Ｌ／日、２千万Ｌ／日、３千万Ｌ／日、４千万Ｌ／日、５千万Ｌ／日、６千万Ｌ／日、７千万Ｌ／日、８千万Ｌ／日、９千万Ｌ／日、１億Ｌ／日、１億１千万Ｌ／日、１億２千万Ｌ／日、１億３千万Ｌ／日、１億４千万Ｌ／日、１億５千万Ｌ／日、１億６千万Ｌ／日、１億７千万Ｌ／日、１億８千万Ｌ／日、１億９千万Ｌ／日、２億Ｌ／日、２億２千万Ｌ／日、２億４千万Ｌ／日、２億６千万Ｌ／日、２億８千万Ｌ／日、３億Ｌ／日、４億Ｌ／日、５億Ｌ／日、又は１０億Ｌ／日までを排出するように構成されていてもよい。排水口はまた、１０億Ｌ／日より多く排出するように構成されていてもよい。特定の実施形態では、排水口は、５，０００Ｌ／日から１０億Ｌ／日、５，０００Ｌ／日から百万Ｌ／日、５，０００Ｌ／日から１億Ｌ／日、５，０００Ｌ／日から２０，０００Ｌ／日、２０，０００Ｌ／日から４０，０００Ｌ／日、４０，０００Ｌ／日から６０，０００Ｌ／日、６０，０００Ｌ／日から８０，０００Ｌ／日、８０，０００Ｌ／日から１００，０００Ｌ／日、１００，０００Ｌ／日から１２０，０００Ｌ／日、１２０，０００Ｌ／日から１４０，０００Ｌ／日、１４０，０００Ｌ／日から１６０，０００Ｌ／日、１６０，０００Ｌ／日から１８０，０００Ｌ／日、１８０，０００Ｌ／日から２００，０００Ｌ／日、２００，０００Ｌ／日から２５０，０００Ｌ／日、２５０，０００Ｌ／日から３００，０００Ｌ／日、３００，０００Ｌ／日から３５０，０００Ｌ／日、１００，０００Ｌ／日から２００，０００Ｌ／日、２００，０００Ｌ／日から３００，０００Ｌ／日、３００，０００Ｌ／日から４００，０００Ｌ／日、４００，０００Ｌ／日から５００，０００Ｌ／日、５００，０００Ｌ／日から６００，０００Ｌ／日、６００，０００Ｌ／日から７００，０００Ｌ／日、７００，０００Ｌ／日から８００，０００Ｌ／日、８００，０００Ｌ／日から９００，０００Ｌ／日、９００，０００Ｌ／日から百万Ｌ／日、百万Ｌ／日から２千万Ｌ／日、２千万Ｌ／日から４千万Ｌ／日、４千万Ｌ／日から６千万Ｌ／日、６千万Ｌ／日から８千万Ｌ／日、又は８千万Ｌ／日から１億Ｌ／日のいずれかの範囲の水の量を排出するように構成されていてもよい。いくつかの態様で、排水口を通って移動する（例えば流れている）水の量は、期間（例えば、１分、１時間、１日、１か月、１年）内で可変である。
【００９４】
種々の態様で、排水口又はその一部は水脱塩プラントの外部に配置されている。選ばれた態様で、排水口又はその一部は、冷蔵施設のうちの冷蔵される物品及び／又は関連する構成要素を含む部分の外部に配置されている。選ばれた実施形態では、排水口又はその一部は、一つ以上のコンピュータシステム及び／若しくは関連する構成要素を含むデータセンタの部分の外部並びに／又は脱塩プラントの外部に配置されている。いくつかの実施形態では、脱塩プラントの少なくとも一部、並びに／又は冷蔵施設のうちの冷蔵される物品及び／又は関連する構成要素を含む部分の内部に設置された水冷サブシステムの少なくとも一部、並びに／又は一つ以上のコンピュータシステム及び／若しくは冷水が加熱される（例えば、温水に加熱される）関連する構成要素を含むデータセンタの一部に、排水口が動作可能に接続（例えば、流体連通）されている。
【００９５】
システムの実施形態は、（例えば、水源内の１５ｍ以上、例えば２０ｍ以上、２５ｍ以上、３０ｍ以上、３５ｍ以上の深度に配置された）水源内に配置された排水口を有する。システムのいくつかの変形例は、水源内の１ｍ以上、２ｍ以上、３ｍ以上、４ｍ以上、５ｍ以上、６ｍ以上、７ｍ以上、８ｍ以上、９ｍ以上、１０ｍ以上、１１ｍ以上、１２ｍ以上、１３ｍ以上、１４ｍ以上、１６ｍ以上、１７ｍ以上、１８ｍ以上、１９ｍ以上、２０ｍ以上、２５ｍ以上、３０ｍ以上、３５ｍ以上、４０ｍ以上、４５ｍ以上、５０ｍ以上、６０ｍ以上、７０ｍ以上、８０ｍ以上、９０ｍ以上、１００ｍ、２００ｍ以上及び／又は３００ｍ以上の深度に配置された排水口及び／又はその中の少なくとも一つの開口部（例えば、脱塩プラント、並びに／又は冷蔵される物品及び／若しくは関連する冷蔵用構成要素を含む冷蔵施設の一部、並びに／又はコンピュータシステム及び関連する構成要素を収容するデータセンタの一部から最も遠い排水口の端部の開口部）を有する。いくつかの態様で、システムは、水源内の特定の区域（例えば真光層及び／又は薄光層、及び／又は無光層）より下及び／又は内に位置する排水口及び／又はその中の少なくとも一つの開口部を有する。いくつかの実施形態では、システムは、水源内の有光層より下に配置された排水口及び／又はその中の少なくとも一つの開口部を有する。
【００９６】
排水口が水源内の特定の深度（例えば１５ｍ以上の深度）に配置されている開示されたシステムのあるいくつかの態様で、排水口の中心（例えば排水口の最も中心の地点）及び／又は排水口の上縁（例えば水面に最も近い縁又は部分）、及び／又は排水口の下縁（例えば水面から最も遠い縁又は部分）は、水面下のその特定の深度に配置されている。いくつかの態様で、水源内の特定の深度に位置する排水口は開口部を有してもよく、開口部の中心（例えば円形及び／又は正方形の開口部の最中心点）及び／又は開口部の上縁（例えば水面に最も近い縁又は部分）、及び／又は開口部の下縁（例えば水面から最も遠い縁又は部分）は、水面下のその特定の深度に位置する。所望の場合、排水口は拡散器を有していてもよい。
【００９７】
種々の態様で、開示されたシステムの排水口は、一つ以上の材質又は一種類以上の材質で構成されていてもよい。開示されたシステムの排水口が構成されていてもよい材質の例は、ポリマー、セラミック、金属、ガラス及び／又はそれらの組み合わせが含まれる。いくつかの態様で、排水口は、金属又は腐食（例えば錆による腐食）しやすい材質では構成されていない。適切な場合、排水口は、鉛管材質で構成されている。例えば排水口は、ポリ塩化ビニル（ＰＶＣ）管及び／又は継ぎ手、及び管を水密に締結する一つ以上の接着剤で構成されていてもよい。選ばれた態様で、排水口の一つ以上の材質は、硬質であってもよい。いくつかの例で、排水口の一つ以上の材質は、弾性的（例えば、一つ以上のゴムチューブ又はホース）であってもよい。しかしながら、これらの材質の例は限定するものではなく、排水口の材質は、本明細書に記載の開示されたシステム内の機能に必要な構造的及び化学的特性を有するあらゆる材質又は材質の組み合わせであってもよい。
【００９８】
（発電所）
あるいくつかの態様で、開示されたシステムは、一つ以上の発電所を選択的に含む。本明細書で使用される「発電所」及び「発電ステーション」という用語は、電力を生成する設備をいう。特定の態様で、発電所は、電力を生成及び伝送する構成要素を収容する。
【００９９】
選ばれた実施形態では、発電所は、化石燃料（例えば石炭、石油、及び／又は天然ガス）、原子力又は再生可能エネルギー源から電力を生成する。あるいくつかの態様で、発電所は、発電所外の電力消費者に電力を提供する。
【０１００】
種々の例で、発電所は、物質及び／又はエネルギーを発電所内へ受け入れる取入口を有する。いくつかの態様で、発電所は、取入口内へ受け入れられた物質及び／又はエネルギーを電力へ変換する少なくとも一つの変換要素を有する。選ばれた例で、発電所は、発電所から電力を出力するように構成された電力生産構成要素を有する。種々の実施形態では、発電所は、取入口内へ受け入れられる物質及び／若しくはエネルギーの量を制御するように、並びに／又は電力に変換される物質及び／若しくはエネルギーの量を制御するように、並びに／又は電力生産構成要素を介して電力出力量を制御するように構成された一つ以上の制御システムを有する。
【０１０１】
特定の態様で、発電所は炭素排出を発生させる。あるいくつかの例で、発電所（例えば、独立して稼働して電力を作り出す発電所）は、発電所又はその構成要素により実行される各機能又は機能の一部に対してある量の炭素排出を発生させる。例えば、いくつかの実施形態では、発電所は作り出す電力量あたり一定の量の炭素排出を発生させる。
【０１０２】
いくつかの実施形態では、発電所は、電気的構成要素を有する。例えば、発電所は、温度及び／又は照明制御システム、並びに電力消費者と発電所とを電気的に接続するための電気的構成要素を有していてもよい。選ばれた例で、発電所（例えば、独立して稼働している発電所）は、作り出す電力のそれぞれの量に対してある量のエネルギー（例えば、電気エネルギー）を使用する。
【０１０３】
発電所のあるいくつかの変形例は熱を生じる。そのため、いくつかの実施形態では、発電所は冷却システムを有する。いくつかの例で、発電所の冷却システムは、冷水（例えば、海水）を使用して発電所を冷却するように構成されている。あるいくつかの実施形態では、発電所冷却システムは、相互接続された構造を通して（例えば相互接続された構造内へ、及び／又は相互接続された構造から）水を移動させ、それによって発電所を冷却するように構成された、管及び／又はコンテナ及び／又はポンプ（例えば前述したようなポンプ）の相互接続された構造を有する。選ばれた態様で、発電所は温水を生じ、排出する。あるいくつかの態様で、発電所冷却システムは、本明細書に記載されるような排水口（例えば、温水排水口）に動作可能に接続される。
【０１０４】
特定の実施形態で、発電所は冷蔵施設及び脱塩プラントに併設されている。あるいくつかの態様で、発電所は冷蔵施設及び／又は水脱塩プラントに動作可能に接続されている。いくつかの態様で、発電所は冷蔵施設及び／又は水脱塩プラントと流体連通されていてもよい。所望の場合、発電所冷却システムは、水（例えば、温水）が発電所から脱塩プラントへ移動（例えば、流動）できるように水脱塩プラントの連結要素（例えば、管部分）に取り付けられていてもよい。いくつかの態様で、一つ以上の連結要素は、脱塩プラント内部及び／又は発電所内部及び／又は脱塩プラントと発電所との間（例えば、脱塩プラントと発電所との接点）に配置されている。いくつかの態様で、発電所冷却システムは、水が発電所から冷蔵施設へ移動（例えば、流動）できるように冷蔵施設の水冷サブシステムに取り付けられていてもよい。
【０１０５】
発電所の種々の実施形態は冷蔵施設及び／又は脱塩プラント（例えば、発電所及び／又は冷蔵施設及び／又はデータセンタと併設された脱塩プラント）に電力を提供する。そのため、開示されたシステムのあるいくつかの態様は冷蔵施設及び／又は水脱塩プラントに電気的に接続されている（例えば、金属ケーブル等の少なくとも一つの導電素材により接続されている）複数の発電所を有する。あるいくつかの態様で、発電所は、冷蔵施設及び／又はその内部の電気的構成要素を稼働させるために必要な電力の全部又は一部を供給してもよい。同様に、選ばれた例で、発電所は、脱塩プラント及び／又はその内部の電気的構成要素を稼働させるために必要な電力の全部又は一部を供給してもよい。
【０１０６】
冷蔵施設及び／又は脱塩プラントと併設された発電所を備える開示されたシステムのあるいくつかの実施形態は、独立して稼働している同一の発電所、冷蔵施設、及び／又は水脱塩プラント（例えば、水及び／又は電気が一方から他方へ移動し得るように接続されていない発電所、冷蔵施設、及び／又は水脱塩プラント）と比較して、発生させる炭素排出がより少なくなるように構成されている。また、冷蔵施設及び／又は脱塩プラントと併設された発電所を備える開示されたシステムのいくつかの変形例は、独立して稼働している同一の発電所、冷蔵施設、及び／又は水脱塩プラント（例えば、水及び／又は電気が一方から他方へ移動し得るように接続されていない発電所、冷蔵施設、及び／又は水脱塩プラント）と比較して、使用エネルギー（例えば、電気エネルギー）がより少なくなるように構成されている。そのため、冷蔵施設及び／又は脱塩プラントと併設された発電所を備える開示されたシステムの選ばれた態様は、独立して稼働している同一の発電所、冷蔵施設及び／又は水脱塩プラントよりエネルギー効率が高くなるように構成されている。
【０１０７】
（方法）
上で要約したように、本開示の態様はまた、冷蔵施設又はその一部分を冷却し、塩水を脱塩する方法を含む。あるいくつかの実施形態では、方法は、（１）冷水取水口及び温水排水口を有する水冷サブシステムで冷蔵施設を冷却すること；及び（２）該冷蔵施設と併設された脱塩プラントで前記温水排水口から受け入れた温水を脱塩すること、を含む複数のステップ（例えば、連続ステップ及び／又は同時ステップ）を含む。
【０１０８】
「冷却」という用語は、広く且つ一般に、特徴部（例えば冷蔵施設又はそれらの中の一つ以上の構成要素の一部）又は特徴部の一部分（例えば冷蔵施設の一つ以上の構成要素により加熱された冷蔵施設の一部分）の温度を下げることを指すために用いられる。そのため、いくつかの実施形態では、冷水取水口及び温水排水口を有する水冷サブシステムで冷蔵施設を冷却することは、水冷サブシステムを使用して冷蔵施設の少なくとも一部又は冷蔵施設の一つ以上の構成要素の温度を下げることを含む。
【０１０９】
本明細書で使用されるように、「冷水取水口」という用語は、冷水を受け入れるように構成された取水口を指す。いくつかの実施形態では、水冷サブシステムで冷蔵施設を冷却することは、水冷サブシステムの少なくとも一部分を通して水（例えば、冷水）を移動させる（例えば、断続的に又は連続的にポンプ圧送する）こと、並びに／又は水冷サブシステム及び／若しくはサブシステムを通してポンプ圧送された水を使用して冷蔵施設から生み出される熱を吸収すること、を含む。選ばれた例で、水冷サブシステムで冷蔵施設を冷却することは、水冷サブシステム及び／又はその中の水が冷蔵施設により生み出される熱を吸収した後で、水冷サブシステムの少なくとも一部分を通して水（例えば、温水）を移動させる（例えば、ポンプ圧送する）ことを含む。種々の実施形態で、水冷サブシステムで冷蔵施設を冷却することは、水（例えば、温水）を水冷サブシステムの外に移動させること（例えば、水冷サブシステムの温水排水口を通して水をポンプ圧送すること）を含む。いくつかの変形例では、水冷サブシステムで冷蔵施設を冷却することは、脱塩プラントの中へ水（例えば、温水）を移動させる（例えば、ポンプ圧送する）ことを含む。
【０１１０】
「脱塩する」という用語は、広く且つ一般的に、水を脱塩するための一つ以上の工程（例えば、逆浸透）を指す。そのため、いくつかの実施形態で、水を脱塩することは、冷蔵施設の温水排水口から脱塩プラント（例えば、冷蔵施設と併設された脱塩プラント）へ水（例えば、温水）を受け入れ、その水を脱塩するための一つ以上の脱塩工程を実行することを含む。開示された方法のいくつかの実施形態では、冷蔵施設を冷却し且つ塩水を脱塩することは、冷蔵施設及び／又はデータセンタ並びに脱塩プラントを併設し且つ動作可能に接続することを含む。
【０１１１】
方法の特定の態様で、水を脱塩することは、冷蔵施設の温水排水口から脱塩プラント（例えば、冷蔵施設と併設された脱塩プラント）内へ水（例えば、温水）を受け入れること、及び水を脱塩するための一つ以上の工程を実行することを含む。いくつかの例で、水を脱塩することは、脱塩プラントの一つ以上の構成要素を通して水（例えば、温水）を移動させ（例えば、断続的に又は連続的にポンプ圧送し）、それによりその水を脱塩することを含む。
【０１１２】
開示された方法のいくつかの態様で、冷蔵施設を冷却し塩水を脱塩することは、冷水取水口から水（例えば、海水）を得る（例えば、断続的に又は連続的にポンプ圧送する）ことを含む。開示された方法の特定の変形例は、冷水取水口、又はその中の少なくとも一つの開口部を水源の特定の深度（例えば、水源の有光層より下）に配置すること含む。開示された方法のいくつかの態様で、水源は大洋又は海である。
【０１１３】
開示された方法のあるいくつかの態様で、冷蔵施設を冷却し且つ塩水を脱塩することは、脱塩プラントから水域（例えば、大洋又は海）へ濃塩水を排出する（例えば、断続的に又は連続的にポンプ圧送する）ことを含む。開示された方法の特定の態様は、水域の特定の深度（例えば、大洋又は海の有光層内又はその下）で濃塩水を排出することを含む。
【０１１４】
開示された方法の実施形態は、水源内の１５ｍ以上（例えば、２０ｍ以上、２５ｍ以上、３０ｍ以上、３５ｍ以上）の深度において、冷水取水口又はその中の少なくとも一つの開口部を配置すること、及び／又は濃塩水を排出することを含む。方法のいくつかの変形例は、水域（例えば、大洋又は海）内の１ｍ以上、２ｍ以上、３ｍ以上、４ｍ以上、５ｍ以上、６ｍ以上、７ｍ以上、８ｍ以上、９ｍ以上、１０ｍ以上、１１ｍ以上、１２ｍ以上、１３ｍ以上、１４ｍ以上、１６ｍ以上、１７ｍ以上、１８ｍ以上、１９ｍ以上、２０ｍ以上、２５ｍ以上、３０ｍ以上、３５ｍ以上、４０ｍ以上、４５ｍ以上、５０ｍ以上、６０ｍ以上、７０ｍ以上、８０ｍ以上、９０ｍ以上、１００ｍ以上、２００ｍ以上、及び／又は３００ｍ以上の深度において、冷水取水口又はその中の少なくとも一つの開口部を配置すること、及び／又は濃塩水を排出することを含む。いくつかの例で、開示された方法は、水域（例えば、大洋又は海）内の特定の層（例えば受光層及び／又は薄光層、及び／又は、有光層及び／又は深海底層）より下及び／又は内で、冷水取入口、又はその中の少なくとも一つの開口部を配置すること、及び／又は濃塩水の排出を行うことを含む。
【０１１５】
方法のあるいくつかの変形例で、水源内の特定の深度（例えば深度１５ｍ以上）において、冷水取入口又はその中の少なくとも一つの開口部を配置すること、及び／又は濃塩水を排出することは、取水口の中心（例えば取水口の最中心点）並びに／又は排水口の中心（例えば温水排水口の最中心点）並びに／又は取水口及び／若しくは排水口の上縁（例えば水面に最も近い縁又は部分）、並びに／又は取水口及び／若しくは排水口の下縁（例えば水面から最も遠い縁又は部分）を、水面下の特定の深度に配置することを含む。所望の場合、水源内の特定の深度に配置された取水口及び／又は排水口は開口部を有してもよく、開口部の中心（例えば円形及び／又は正方形の開口部の最中心点）、及び／又は開口部の上縁（例えば水面に最も近い縁又は部分）、及び／又は開口部の下縁（例えば水面から最も遠い縁又は部分）は、水面下の特定の深度に配置されている。
【０１１６】
方法のいくつかの態様で、脱塩プラントは逆浸透脱塩プラントである。そのため、選ばれた例で、水は一つ以上の逆浸透工程を用いて脱塩される。いくつかの実施形態では、水（例えば、温水）は、それから塩及び／又は鉱物及び／又は他の不純物を取り除くため、その水を一つ以上の半透膜に通過させることにより脱塩される。
【０１１７】
上述のように、いくつかの実施形態では、冷蔵施設、脱塩プラント及び／又はそれらの動力源は炭素排出を発生させる。あるいくつかの態様で、冷蔵施設及び／又は脱塩プラント（例えば、独立して稼働する脱塩プラント）は、脱塩プラント又はそれらの構成要素により実行されるそれぞれの機能又は機能の一部についてある量の炭素排出を発生させる。例えばいくつかの変形例で、脱塩プラントは産出された脱塩された水の体積あたり一定量の炭素排出を発生させる。
【０１１８】
また、上述のように、冷蔵施設及び／又は脱塩プラントを併設し且つ／又は動作可能に接続することにより、それらの全体的な炭素排出を減らすことが可能である。そのため、いくつかの例で、冷蔵施設を冷却し、且つ／又は冷蔵施設と併設された脱塩プラントにおいて塩水を脱塩する開示された方法は、同一の冷蔵施設及び／又は水脱塩プラントを独立して稼働させること（例えば、水又は電気が一方から他方へ移動できるようには接続されていない冷蔵施設及び／又はデータセンタ並びに水脱塩プラント）と比較して、発生させる炭素排出がより少ない。あるいくつかの変形例で、冷蔵施設を冷却し、且つ／又は冷蔵施設と併設された脱塩プラントで塩水を脱塩する開示された方法は、独立して稼働している同一の冷蔵施設及び／又は水脱塩プラントと比較して、発生させるカーボンフットプリントをより小さくすることを含む。
【０１１９】
上述のように、特定の例で、冷蔵施設及び／又は脱塩プラントは、冷蔵施設及び／又は脱塩プラント又はそれらの構成要素により実行される各機能に対してある量のエネルギーを使用する。例えば、冷蔵施設は、冷蔵施設の冷却量あたり特定の量のエネルギーを使用することがある。
【０１２０】
また、上述のように、冷蔵施設を脱塩プラントに併設し且つ／又は動作可能に接続することにより、それらの全体のエネルギー効率は向上し得る 。そのため、冷蔵施設を冷却し、冷蔵施設に併設された脱塩プラントで塩水を脱塩する開示された方法は、独立して稼働する同一の冷蔵施設及び脱塩プラント（例えば、水又は電気が一方から他方へ移動できるようには接続されていない冷蔵施設及び脱塩プラント）と比較して、冷蔵施設の冷却量あたり及び脱塩される水の体積あたりの使用エネルギーがより少ない場合がある。あるいくつかの態様で、冷蔵施設を冷却し、冷蔵施設に併設された脱塩プラントで塩水を脱塩する開示された方法は、同一の冷蔵施設及び／又はデータセンタ並びに水脱塩プラントを独立して稼働させる場合と比較してよりエネルギー効率の高い方法で冷蔵施設を冷却し且つ水を脱塩することを含む。
【０１２１】
いくつかの実施形態では、冷蔵施設を冷却し、冷蔵施設に併設された脱塩プラントで塩水を脱塩する開示された方法は、ＰＵＥ（例えば、データセンタのＰＵＥ）を、例えば１．９以下、１．８以下、１．７以下、１．６以下、１．５以下、１．４以下、１．３以下、１．２以下、１．１以下等の、例えば２．０以下の特定の値に維持することを含む。ここで、データセンタが維持されるその特定の値は、例えば、１．０、１．１、１．２、１．３、１．４又は１．５のＰＵＥ等、変動してもよい。選ばれた例で、冷蔵施設を冷却し、冷蔵施設及び／又はデータセンタに併設された脱塩プラントで塩水を脱塩する開示された方法は、ＰＵＥ（例えば、データセンタのＰＵＥ）を特定の範囲内（例えば、２未満、０から２の間、又は１から２の間）に維持することを含む。例えば、いくつかの態様で、冷蔵施設を冷却し、冷蔵施設及び／又はデータセンタに併設された脱塩プラントで塩水を脱塩する開示された方法は、ＰＵＥ（例えば、データセンタのＰＵＥ）を１から１．３の間、又は１より大きいが１に近い値（例えば、１．１、１．１５、１．２、１．２５、又は１．３）に維持することを含む。
【０１２２】
あるいくつかの態様で、冷蔵施設を冷却し、冷蔵施設に併設された脱塩プラントで塩水を脱塩する開示された方法は、冷蔵施設及び発電所を併設し且つ／又は動作可能に接続することを含む。そのため、あるいくつかの実施形態では、開示された方法は、冷蔵施設及び脱塩プラントと併設された発電所から、冷蔵施設及び脱塩プラントを稼働させるための電力を得ることを含む。
【０１２３】
上述のように、いくつかの例で、冷蔵施設、脱塩プラント、及び／又は発電所は炭素排出を発生させる。あるいくつかの態様で、発電所（例えば、電力を作り出すために独立して稼働している発電所）は発電所又はその構成要素により実行される各機能又は機能の一部分のためにある量の炭素排出を発生させる。例えば、発電所は作り出される電力量あたり一定量の炭素排出を発生させることがある。
【０１２４】
また、上述のように、冷蔵施設、脱塩プラント、及び／又は発電所を併設し、且つ／又は動作可能に接続することにより、それらの全体の炭素排出を減らすことができる。そのため、種々の例で、冷蔵施設を冷却し、冷蔵施設に併設された脱塩プラントで塩水を脱塩する開示された方法は、冷蔵施設及び脱塩プラントと併設された発電所から冷蔵施設及び／又は脱塩プラントを稼働させるための電力を得ることを含み、且つ同一の冷蔵施設、脱塩プラント、及び発電所を独立して稼働する場合と比較して、発生させる炭素排出がより少ない。いくつかの態様で、冷蔵施設及び脱塩プラントと併設された発電所から冷蔵施設及び／又は脱塩プラントを稼働させるための電力を得ることにより冷蔵施設を冷却し、冷蔵施設と併設された脱塩プラントで塩水を脱塩する開示された方法は、同一の冷蔵施設、水脱塩プラント、及び発電所を独立して稼働させる場合と比較して、発生させるカーボンフットプリントをより小さくすることを含む。
【０１２５】
上述のように、冷蔵施設、脱塩プラント、及び発電所を併設し且つ／又は動作可能に接続することにより、それらの全体のエネルギー効率を改善することができる。そのため、いくつかの例で、冷蔵施設を冷却し、冷蔵施設に併設された脱塩プラントで塩水を脱塩する開示された方法は、冷蔵施設及び脱塩プラントと併設された発電所から冷蔵施設及び／又は脱塩プラントを稼働させるための電力を得ることを含み、独立して稼働している（例えば、動作可能に接続されずに稼働している）同一の冷蔵施設、水脱塩プラント、及び発電所より冷蔵施設の冷却量あたり又は脱塩される水の体積あたりの使用エネルギーがより少ない。いくつかの態様で、冷蔵施設及び脱塩プラントと併設された発電所から冷蔵施設及び／又は脱塩プラントを稼働させるための電力を取得することにより冷蔵施設を冷却し、冷蔵施設に併設された脱塩プラントで塩水を脱塩する開示された方法は、同一の冷蔵施設、水脱塩プラント、及び発電所を独立して稼働させることと比較してよりエネルギー効率が高い方法で、冷蔵施設を冷却し、水を脱塩し、且つ／又は電力を生産若しくは取得することを含む。
【０１２６】
種々の実施形態で、冷蔵施設及び脱塩プラントと併設された発電所から冷蔵施設及び／又は脱塩プラントを稼働させるための電力を取得することにより冷蔵施設を冷却し、冷蔵施設に併設された脱塩プラントで塩水を脱塩する開示された方法は、ＰＵＥ（例えば、データセンタのＰＵＥ）を特定の値（本明細書で例示されたいずれかのＰＵＥ値若しくは他のＰＵＥ値）又は特定の値の範囲（例えば、本明細書で例示されたいずれかのＰＵＥ値の範囲、若しくは他のＰＵＥの値の範囲）に維持することを含む。
【０１２７】
開示された方法のあるいくつかの実施形態では、冷蔵施設は貯蔵施設（例えば、種子貯蔵施設）である。そのため、開示された方法の種々の態様は、一つ以上の物品（例えば、種子；人間又は動物用の食料及び／又は飲料；人間又は動物の遺体；バクテリア培地）を貯蔵し且つ／又は保存する方法を含む。開示された方法の種々の実施形態はまた、植物の成長又は繁殖を鈍化させる方法も含む。あるいくつかの態様で、該方法は、物品（例えば、食物）を冷蔵された（例えば、冷却された）環境（例えば、冷蔵室）で貯蔵することにより物品の上又は中でのバクテリアの増殖を鈍化させる且つ／又は実質的に抑制することを含む。
【０１２８】
（有用性）
本主題のシステム及び方法は、冷蔵施設を冷却し水を脱塩するために使用され得る。本明細書に記載されるように、あるいくつかの態様で、開示されたシステムは、システムの構成要素を独立して稼働するよりもより効率の良い方法で稼働するように構成されていることがある。例えば、脱塩プラントと併設され且つ動作可能に接続された冷蔵施設は、独立して稼働する同一の冷蔵施設及び水脱塩プラントと比較して、冷蔵施設の冷却量あたり及び／又は脱塩される水の体積あたりの使用エネルギーをより少なくすることが可能である。同様に、本明細書で開示される方法は、同一の冷蔵施設及び／又は脱塩プラントを独立して稼働する方法と比較して、冷蔵施設の冷却量あたり及び／又は脱塩される水の体積あたり、より少ないエネルギーを用いて冷蔵施設及び／又は脱塩プラントを稼働できるようにする。更に、脱塩プラント及び発電所に併設され且つ動作可能に接続された冷蔵施設に関する開示されたシステム及び方法は、独立して稼働している同一の冷蔵施設、水脱塩プラント、及び脱塩プラントと比較して、冷蔵施設の冷却量あたり及び／又は脱塩される水の体積あたり及び／又は生み出されるエネルギーの量あたりの冷蔵施設及び／又は脱塩プラント及び／又は発電所の使用エネルギーを少なくすることが可能である。
【０１２９】
開示されたシステム及び方法はまた、冷蔵施設、脱塩プラント、及び／又は発電所の周辺環境に対する影響を最小化するような態様で稼働することができる。例えば、開示されたシステムの稼働又は開示された方法の使用により、独立して稼働している同一の冷蔵施設及び水脱塩プラントと比較してより少ない炭素排出又はより少ない熱汚染を発生させる冷蔵施設及び水脱塩プラントが結果としてもたらされ得る。また、開示されたシステムの稼働又は開示された方法の使用により、独立して稼働している同一の冷蔵施設、水脱塩プラント、及び発電所と比較してより少ない炭素排出又はより少ない熱汚染を発生させる冷蔵施設、水脱塩プラント、及び発電所が結果としてもたらされ得る。
【０１３０】
したがって、本主題のシステム及び方法は、冷蔵施設、データセンタ、脱塩プラント、及び／又は発電所により使用されるエネルギー量を最小化するために適用され得る。本主題のシステム及び方法はまた、冷蔵施設、データセンタ、脱塩プラント、及び／又は発電所からの炭素排出の量を最小化するためにも適用され得る。稼働効率を高め、炭素排出を最小化することにより、開示されたシステム及び方法は、冷蔵施設、脱塩プラント、及び／又は発電所に関わるコストを最小化し、周辺環境の質を高めることに役立つ。
【０１３１】
本開示の実施形態は更に、以下の付記によって記述される（ただし、限定されない）：
付記１
（ａ）冷水を受け入れ温水を排出するように構成された水冷サブシステムを備える冷蔵施設；及び
（ｂ）前記冷蔵施設と併設され、前記排出された温水を受け入れて脱塩するように構成された水脱塩プラント
を備えることを特徴とするシステム。
付記２
前記冷水は大洋又は海から受け入れられることを特徴とする付記１に記載のシステム。
付記３
前記水冷サブシステムは取水口を有することを特徴とする付記１又は２に記載のシステム。
付記４
前記取水口は水源の１５ｍ以上の深度に配置されていることを特徴とする付記３に記載のシステム。
付記５
前記取水口は水源内の有光層より下に配置されていることを特徴とする付記３に記載のシステム。
付記６
前記水脱塩プラントから濃塩水を排出するための排水口を更に備えることを特徴とする付記１から５のいずれかに記載のシステム。
付記７
前記排水口は水域の１５ｍ以上の深度に配置されていることを特徴とする付記６に記載のシステム。
付記８
前記水域は、前記水冷サブシステムが前記冷水を受け入れるのと同じ水域であることを特徴とする付記１から７までのいずれかに記載のシステム。
付記９
前記冷蔵施設及び水脱塩プラントと併設された発電所を更に備えることを特徴とする付記１から８のいずれかに記載のシステム。
付記１０
前記発電所は前記冷蔵施設及び前記水脱塩プラントの両方に動作可能に接続されていることを特徴とする付記９に記載のシステム。
付記１１
前記冷蔵施設及び水脱塩プラントは、独立して稼働している同一の冷蔵施設及び水脱塩プラントと比較して、発生させる炭素排出がより少なくなるように構成されていることを特徴とする付記１から１０のいずれかに記載のシステム。
付記１２
前記冷蔵施設及び水脱塩プラントは、独立して稼働している同一の冷蔵施設及び水脱塩プラントと比較して、冷蔵施設冷却量あたり及び脱塩される水の体積あたりの使用エネルギーがより少ないように構成されていることを特徴とする付記１から１１のいずれかに記載のシステム。
付記１３
前記水脱塩プラントは逆浸透脱塩プラントであることを特徴とする付記１から１２のいずれかに記載のシステム。
付記１４
冷蔵施設を冷却する方法であって、
（ａ）冷水取水口及び温水排水口を有する水冷サブシステムで冷蔵施設を冷却すること；及び
（ｂ）前記冷蔵施設と併設された脱塩プラントで、前記温水排水口から受け入れられた温水を脱塩すること
を備えることを特徴とする方法。
付記１５
前記水冷サブシステムは前記冷水取水口から海水を得るように構成されていることを特徴とする付記１４に記載の方法。
付記１６
前記脱塩プラントは逆浸透脱塩プラントであることを特徴とする付記１４又は１５に記載の方法。
付記１７
前記冷水取水口は水源の有光層より下に配置されていることを特徴とする付記１４、１５又は１６に記載の方法。
付記１８
前記水源は大洋又は海であることを特徴とする付記１７に記載の方法。
付記１９
前記脱塩プラントから大洋又は海の中へ濃塩水を排出することを更に備えることを特徴とする付記１８に記載の方法。
付記２０
前記濃塩水は前記大洋又は海の前記有光層より下に排出されることを特徴とする付記１９に記載の方法。
付記２１
独立して稼働している同一の冷蔵施設及び水脱塩プラントと比較して、発生させる炭素排出がより少ないことを特徴とする付記１４から２０のいずれかに記載の方法。
付記２２
独立して稼働している同一の冷蔵施設及び水脱塩プラントと比較して、冷蔵施設の冷却量あたり及び脱塩される水の体積あたりの使用エネルギーがより少ないことを特徴とする付記１４から２１のいずれかに記載の方法。
付記２３
前記冷蔵施設及び前記脱塩プラントと併設された発電所から前記冷蔵施設及び前記脱塩プラントを稼働させるための電力を得ることを更に備えることを特徴とする付記１４から２２のいずれかに記載の方法。
付記２４
独立して稼働している同一の冷蔵施設、水脱塩プラント、及び発電所より発生させる炭素排出が少ないことを特徴とする付記２３に記載の方法。
付記２５
独立して稼働している同一の冷蔵施設、水脱塩プラント及び発電所より、冷蔵施設の冷却量あたり及び脱塩される水の体積あたりの使用エネルギーが少ないことを特徴とする付記２３又は２４に記載の方法。
【０１３２】
前述の発明が、理解を明確にする目的で図及び例を用いてある程度詳細に記述されたが、当業者にとっては、本発明の教示を鑑みて、添付の特許請求の範囲の趣旨又は範囲から逸脱することなく変更及び修正が可能であることは容易に自明である。また、本発明の範囲は添付の特許請求の範囲によってのみ限定されるものであるから、本明細書で使用される用語は特定の実施形態を記述するためだけのものであり、限定を意図されていない。
【０１３３】
したがって、上の記述は単に発明の原理のみを説明している。たとえここに明示的に記述又は図示されていないものであっても、本発明の原理を具現化し且つ本発明の趣旨及び範囲に含まれる種々の構成を当業者が考案することができることが認められる。更に、本明細書中で言及されたすべての例及び暫定的な用語は主に、読者が発明の原理及び発明者により寄与された技術を進歩させるための概念を理解する助けとなることを意図しており、具体的に言及された例及び条件に限定することなく解釈されるべきである。また、発明の原理、態様、及び実施形態、並びにそれらの具体例に言及している本明細書中のすべての記述は、それらの構造的又は機能的な均等物をも含むことを意図されている。また、斯かる均等物には既知の均等物と将来開発される均等物の両方、すなわち構造にかかわらず同じ機能を生み出すものとを含むことが意図されている。したがって、本発明の範囲は本明細書に記載された例示的な実施形態に限定されることを意図されていない。むしろ、本発明の範囲及び趣旨は添付の特許請求の範囲によって具現化される。
【０１３４】
米国特許法第１１９条（ｅ）に従って、本願は、２０１３年３月１５日に出願された米国仮特許出願第６１／７９４，１３８号明細書の優先日の権利を主張している。その開示は参照によって本明細書に組み込まれている。
【図１】
2016518243.tif 000003
【図２】
2016518243.tif 000004
【国際調査報告】
2016518243.tif 000005
2016518243.tif 000006